(57)【特許請求の範囲】
【請求項１】
送受信器であって、
第１の無線システムに対応する第１の通信回路と、
第２の無線システムに対応する第２の通信回路と、
前記第１の通信回路と前記第２の通信回路の双方に共通の共通周波数信号を生成する発振器と、
前記発振器によって生成された共通周波数信号を周波数変換し、前記第１の通信回路又は前記第２の通信回路に対してローカル信号を供給する周波数変換器とを備え、
前記第１の通信回路は、入力されたアナログ信号に対して周波数変換を行う第１のアナログ・コンバータを有し、
前記第２の通信回路は、入力されたアナログ信号に対して周波数変換を行う第２のアナログ・コンバータを有し、
前記周波数変換器は、
前記発振器によって生成された共通周波数信号を周波数変換し、前記第１のアナログ・コンバータに対して供給する第１の周波数変換器と、
前記発振器によって生成された共通周波数信号を、前記第１の周波数変換器とは異なる変換比率により周波数変換し、前記第２のアナログ・コンバータに対して供給する第２の周波数変換器を有し、
前記第１の通信回路は、さらに入力されたデジタル信号に対して周波数変換を行う第１のデジタル・コンバータを有し、
前記第２の通信回路は、さらに入力されたデジタル信号に対して周波数変換を行う第２のデジタル・コンバータを有し、
前記発振器は、
前記第１の周波数変換器及び前記第２の周波数変換器に対して前記共通周波数信号を供給する第１の発振器と、
前記第１のデジタル・コンバータ及び第２のデジタル・コンバータのいずれか一方に供給されるローカル信号のための周波数信号を生成する第２の発振器を有する送受信器。
【請求項２】
前記第２の発振器は、インダクタ非内蔵型のＶＣＯであることを特徴とする請求項１記載の送受信器。
【請求項３】
前記第２の発振器は、前記第１の発振器よりも低い発振周波数の周波数信号を生成することを特徴とする請求項１又は２記載の送受信器。
【請求項４】
前記第２の発振器は、前記第１のデジタル・コンバータ及び第２のデジタル・コンバータのそれぞれに対して供給されるローカル信号のための周波数信号を生成することを特徴とする請求項１記載の送受信器。
【請求項５】
前記発振器は、さらに、前記第１のデジタル・コンバータ及び第２のデジタル・コンバータのうち、前記第２の発振器が生成した周波数信号に対応するローカル信号が供給されるデジタルコンバータとは異なるデジタルコンバータに供給されるローカル信号のための周波数信号を生成する第３の発振器を有することを特徴とする請求項１記載の送受信器。
【請求項６】
前記第２の発振器は、インダクタ非内蔵型のＶＣＯであることを特徴とする請求項４記載の送受信器。
【請求項７】
前記第３の発振器は、前記第１の発振器よりも低い発振周波数の周波数信号を生成することを特徴とする請求項５記載の送受信器。
【請求項８】
前記第１のデジタル・コンバータ及び第２のデジタル・コンバータのうち、第２の発振器が生成した周波数信号に対応するローカル信号が供給されるデジタルコンバータとは異なるデジタルコンバータに供給されるローカル信号を、前記第１の発振器より生成された共通周波数信号又はその共通周波数信号を周波数変換した信号を周波数変換することによって生成する第３の周波数変換器を、さらに備えたことを特徴とする請求項１記載の送受信器。
【請求項９】
送受信器であって、
第１の無線システムに対応する第１の通信回路と、
第２の無線システムに対応する第２の通信回路と、
前記第１の通信回路と前記第２の通信回路の双方に共通の共通周波数信号を生成する発振器と、
前記発振器によって生成された共通周波数信号を周波数変換し、前記第１の通信回路又は前記第２の通信回路に対してローカル信号を供給する周波数変換器とを備え、
前記第１の通信回路は、入力されたアナログ信号に対して周波数変換を行う第１のアナログ・コンバータを有し、
前記第２の通信回路は、入力されたアナログ信号に対して周波数変換を行う第２のアナログ・コンバータを有し、
前記周波数変換器は、
前記発振器によって生成された共通周波数信号を周波数変換し、前記第１のアナログ・コンバータに対して供給する第１の周波数変換器と、
前記発振器によって生成された共通周波数信号を、前記第１の周波数変換器とは異なる変換比率により周波数変換し、前記第２のアナログ・コンバータに対して供給する第２の周波数変換器を有し、
前記第１の通信回路は、さらに入力されたデジタル信号に対して周波数変換を行う第１のデジタル・コンバータを有し、
前記第２の通信回路は、さらに入力されたデジタル信号に対して周波数変換を行う第２のデジタル・コンバータを有し、
当該送受信器は、さらに
前記第１の周波数変換器の出力信号を周波数変換し、前記第１のデジタル・コンバータに対して供給する第３の周波数変換器と、
前記第２の周波数変換器の出力信号を周波数変換し、前記第２のデジタル・コンバータに対して供給する第４の周波数変換器を備える送受信器。
【請求項１０】
送受信器であって、
第１の無線システムに対応する第１の通信回路と、
第２の無線システムに対応する第２の通信回路と、
前記第１の通信回路と前記第２の通信回路の双方に共通の共通周波数信号を生成する発振器と、
前記発振器によって生成された共通周波数信号を周波数変換し、前記第１の通信回路又は前記第２の通信回路に対してローカル信号を供給する周波数変換器とを備え、
さらに、前記第１の通信回路及び前記第２の通信回路に対する電源の供給のオンオフを切り替え制御する電力制御回路を備え、
前記電力制御回路は、前記第１の通信回路と前記第２の通信回路の双方に電源供給する広帯域モードと、前記第１の通信回路と前記第２の通信回路のうちいずれか一方に電源供給する狭帯域省電力モードを選択して制御する送受信器。
【請求項１１】
前記送受信器は、ＵＷＢ（Ultra Wide Band）に対応し、前記第１の無線システムは、当該ＵＷＢのバンドグループに含まれる一のバンドグループに対応し、前記第２の無線システムは、当該ＵＷＢのバンドグループに含まれる他のバンドグループに対応することを特徴とする請求項１〜１０いずれかに記載の送受信器。
【請求項１２】
第１の無線システムに対応する第１の通信回路と、第２の無線システムに対応する第２の通信回路の双方に共通の共通周波数信号を発振器によって生成するステップと、
前記発振器によって生成された共通周波数信号を周波数変換器により周波数変換し、前記第１の通信回路又は前記第２の通信回路に対してローカル信号を供給するステップとを備え、
前記ローカル信号の供給ステップは、
前記共通周波数信号を周波数変換し、前記第１の通信回路のアナログ・コンバータに対して第１のローカル信号として供給するステップと、
前記共通周波数信号を、前記第１のローカル信号を生成する場合と異なる変換比率により周波数変換し、前記第２の通信回路のアナログ・コンバータに対して第２のローカル信号として供給するステップを有し、
前記共通周波数信号の生成ステップは、
前記第１のローカル信号を供給する第１の周波数変換器及び前記第２のローカル信号を供給する第２の周波数変換器に対して前記共通周波数信号を供給するステップと、
前記第１の通信回路のデジタル・コンバータ及び第２の通信回路のデジタル・コンバータのいずれか一方に供給されるローカル信号のための周波数信号を生成するステップとを有する通信処理方法。
【発明の詳細な説明】
【技術分野】
【０００１】
本発明は、送受信器に関し、特に、複数の無線規格或いは複数のバンド（バンドグループ）の信号を送受信可能な送受信器に関する。
【背景技術】
【０００２】
複数の無線規格或いは複数のバンド（バンドグループ）（以下、単に複数の無線システムとする）の信号を送受信可能な送受信器の一構成例が、非特許文献１に開示されている。非特許文献１に開示された送受信器は、複数の無線システムの信号を１つのチップによって送受信するために用いられる。【０００３】
図２１は、非特許文献１に開示された送受信回路の構成を示す図である。図２１に示されるように、この送受信回路は、ＶＣＯ（Voltage Controlled Oscillator）５１１３と、第１の無線システムに対応する受信回路５１０１、第２の無線システムに対応する受信回路５１０２と、第１の無線システムに対応する送信回路５１０３と、第２の無線システムに対応する送信回路５１０４と、周波数変換器５１１６を備えている。【０００４】
受信回路５１０１は、第１のアナログ・ダウンコンバータ５１０５と第１のデジタル・ダウンコンバータ５１０６を備え、第１の無線システムに対応する受信ＲＦ（Radio Frequency）信号５１５１が入力され、第１の無線システムに対応する受信ＢＢ（Base Band）信号５１５５を出力する。受信回路５１０２は、第２のデジタル・ダウンコンバータ５１０７と第２のアナログ・ダウンコンバータ５１０８を備え、第２の無線システムに対応する受信ＲＦ信号５１５２が入力され、第２の無線システムに対応する受信ＢＢ信号５１５６を出力する。【０００５】
送信回路５１０３は、第１のアナログ・アップコンバータ５１０９と、第１のデジタル・アップコンバータ５１１０を備え、第１の無線システムに対応する送信ＢＢ信号５１５７を入力し、第１の無線システムに対応する送信ＲＦ信号５１５３を出力する。送信回路５１０４は、第２のデジタル・アップコンバータ５１１１と、第２のアナログ・アップコンバータ５１１２を備え、第２の無線システムに対応する送信ＢＢ信号５１５８を入力し、第２の無線システムに対応する送信ＲＦ信号５１５４を出力する。【０００６】
ＶＣＯ５１１３の出力信号５１５９は、周波数変換器５１１６、第２のアナログ・ダウンコンバータ５１０８及び第２のアナログ・アップコンバータ５１１２に入力される。周波数変換器５１１６は、この出力信号５１５９を入力し、周波数変換して、第１のアナログ・アップコンバータ５１０９及び第１のアナログ・ダウンコンバータ５１０５に出力する。【０００７】
次に、図２１に示す送受信回路の動作について説明する。なお、ここでは、キャリア信号周波数とローカル信号周波数が等しいダイレクトコンバージョン方式を用いていると仮定する。まず、第１の無線システムに対応する送受信回路５１０１，５１０３を動作させる場合、そのキャリア周波数のＮ倍の周波数と等しくなるように、ＶＣＯ５１１３の周波数が調整される。この周波数の調整には、通常、ＰＬＬ（Phase Locked Loop）のようなフィードバックループ制御が用いられるため、周波数が安定するまでに時間を要する。周波数の調整後、受信ＲＦ信号５１５１はローカル信号５１６０によりダウンコンバートされ、受信ＢＢ信号５１５５へ変換される。一方、送信ＲＦ信号５１５３は、送信ＢＢ信号５１５７をローカル信号５１６０によりアップコンバートすることによって生成される。なお、周波数変換器５１１６は、入力周波数を１/Ｎ倍すると仮定する。【０００８】
次に、第２の無線システムに対応する送受信回路５１０２，５１０４を動作させる場合、そのキャリア周波数と等しくなるように、ＶＣＯ５１１３の周波数が再度調整される。この際もやはり、周波数が安定するまでに時間を要する。周波数の調整後、第１の無線システムに対応する場合と同様に、ローカル信号５１５９により受信ＲＦ信号５１５２はダウンコンバートされるとともに、送信ＢＢ信号５１５８はアップコンバートされる。【０００９】
また、特許文献１には、複数の無線通信システムに対応した無線機の一構成例が開示されている。特に、その第２の実施形態では、ＧＳＭ９００のものかＤＣＳ１８００のものにより切り替えられる第１の電圧制御発振器と第２の電圧制御発振器を内蔵したデュアルモード発振器について記載されている。
【先行技術文献】
【特許文献】
【００１０】
【特許文献１】特開２００３−８４５４号公報
【非特許文献】
【００１１】
【非特許文献１】ジャーナルオブソリッドステートサーキッツ  １５２４頁  図３（ＩＥＥＥ  ＯＦ  ＳＯＬＩＤ−ＳＴＡＴＥ  ＣＩＲＣＵＩＴＳ、２００８）
【発明の概要】
【発明が解決しようとする課題】
【００１２】
しかしながら、非特許文献１に開示された送受信器の構成には問題がある。即ち、複数の無線システムに対応して同時動作することができないという問題がある。この問題が発生する原因は、各無線システムのキャリア信号周波数毎にＶＣＯの周波数調整が必要であることと、この周波数調整に要する時間が長いこととである。【００１３】
他方、特許文献１に開示された無線機は、直交変調器出力信号切り分け手段において経路を切り替えることにより複数の無線システムに対応するものであって、複数の無線システムで同時動作を可能とするものではない。【００１４】
本発明の目的は、複数の無線システムで同時動作することができる送受信器を提供することにある。
【課題を解決するための手段】
【００１５】
本発明の送受信器は、第１の無線システムに対応する第１の通信回路と、第２の無線システムに対応する第２の通信回路と、前記第１の通信回路と前記第２の通信回路の双方に共通の共通周波数信号を生成する発振器と、前記発振器によって生成された共通周波数信号を周波数変換し、前記第１の通信回路又は前記第２の通信回路に対してローカル信号を供給する周波数変換器とを備えたものである。
【発明の効果】
【００１６】
本発明によれば、複数の無線システムで同時動作することができる送受信器を提供することができる。
【図面の簡単な説明】
【００１７】
【図１】発明の実施の形態１にかかる無線送受信器の基本構成を示すブロック図である。
【図２】発明の実施の形態１にかかる無線送受信器の構成を示すブロック図である。
【図３】発明の実施の形態２にかかる無線送受信器の構成を示すブロック図である。
【図４】発明の実施の形態３にかかる無線送受信器の構成を示すブロック図である。
【図５】発明の実施の形態４にかかる無線送受信器の構成を示すブロック図である。
【図６】発明の実施の形態５にかかる無線送受信器の構成を示すブロック図である。
【図７】発明の実施の形態６にかかる無線送受信器の構成を示すブロック図である。
【図８】発明の実施の形態７にかかる無線送受信器の構成を示すブロック図である。
【図９】発明の実施の形態８にかかる無線送受信器の構成を示すブロック図である。
【図１０】発明の実施の形態９にかかる無線送受信器の構成を示すブロック図である。
【図１１】発明の実施の形態５にかかる送受信回路をＵＷＢへ応用した具体的な構成を示す図である。
【図１２】発明の実施の形態６にかかる送受信回路をＵＷＢへ応用した第１の具体的な構成を示す図である。
【図１３】発明の実施の形態６にかかる送受信回路をＵＷＢへ応用した第２の具体的な構成を示す図である。
【図１４】発明の実施の形態１にかかる無線送受信器における、ＶＣＯの具体的な第１の回路を示す図である。
【図１５】発明の実施の形態１にかかる無線送受信器における、ＶＣＯの具体的な第２の回路を示す図である。
【図１６】発明の実施の形態１にかかる無線送受信器における、ＶＣＯの具体的な第３の回路を示す図である。
【図１７】発明の実施の形態１にかかる無線送受信器における、周波数変換器の具体的な第１の回路を示す図である。
【図１８】発明の実施の形態１にかかる無線送受信器における、周波数変換器の具体的な第２の回路を示す図である。
【図１９】発明の実施の形態１にかかる無線送受信器における、周波数変換器の具体的な第３の回路を示す図である。
【図２０】発明の実施の形態１にかかる無線送受信器における、周波数変換器の具体的な第４の回路を示す図である。
【図２１】背景技術にかかる送受信器の構成を示すブロック図である。
【図２２】ＷｉＭｅｄｉａ規格で定義されているＵＷＢバンドグループを示す図である。
【図２３】発明の実施の形態５にかかる送受信回路をＵＷＢへ応用した第１の具体的な構成のバンドを示す図である。
【図２４】発明の実施の形態６にかかる送受信回路をＵＷＢへ応用した第１の具体的な構成のバンドを示す図である。
【図２５】発明の実施の形態６にかかる送受信回路をＵＷＢへ応用した第２の具体的な構成のバンドを示す図である。
【図２６】発明の実施の形態５にかかる送受信器における電力制御の動作波形を示した図である。
【発明を実施するための形態】
【００１８】
発明の実施の形態１．
本発明の実施の形態１にかかる送受信器について図面を参照して詳細に説明する。当該送受信器は、複数の無線規格或いは複数のバンド（バンドグループ）の信号を送受信可能な無線通信装置である。図１に当該送受信器の基本構成を示す。図１に示すように当該送受信器は、第１の無線システムに対応する第１の通信回路１ａと、第２の無線システムに対応する第２の通信回路１ｂと、第１の通信回路１ａと第２の通信回路１ｂの双方に共通の共通周波数信号を生成する発振器２と、発振器２によって生成された共通周波数信号を周波数変換し、第１の通信回路１ａ又は第２の通信回路１ｂに対してローカル信号を供給する周波数変換器（ここでは、第１の周波数変換器３ａ、第２の周波数変換器３ｂ）を備えている。
【００１９】
このように、当該送受信器では、第１の通信回路１ａと第２の通信回路１ｂの双方に共通の共通周波数信号を発振器２により生成し、これらを第１の周波数変換器３ａ、第２の周波数変換器３ｂのいずれか一方または双方によって第１の通信回路１ａと第２の通信回路１ｂにローカル信号として供給できるよう、変換している。従って、第１の無線システムによる通信を行う場合と第２の無線システムによる通信を行う場合とで発振器２を調整する必要がないため、複数の無線システムで同時動作することができる。
【００２０】
図２は、発明の実施の形態１による送受信器の構成を示すブロック図である。
当該送受信器は、第１の無線システムに対応する受信回路１１０１と、第２の無線システムに対応する受信回路１１０２と、第１の無線システムに対応する送信回路１１０３と、第２の無線システムに対応する送信回路１１０４と、第１のＶＣＯ１１１３と、第２のＶＣＯ１１１４と、第３のＶＣＯ１１１５と、第１の周波数変換器１１１６と、第２の周波数変換器１１１７と、第３の周波数変換器１１１８と、第４の周波数変換器１１１９とを備えている。
【００２１】
ここで、第１の無線システムに対応する受信回路１１０１と、第１の無線システムに対応する送信回路１１０３によって、第１の無線システムに対応する第１の通信回路を構成する。また、第２の無線システムに対応する受信回路１１０２と、第２の無線システムに対応する送信回路１１０４によって、第２の無線システムに対応する第２の通信回路を構成する。さらに、第１のＶＣＯ１１１３は、第１の通信回路と第２の通信回路の双方に共通の共通周波数信号を生成する発振器として機能する。さらにまた、第１の周波数変換器１１１６と、第２の周波数変換器１１１７は、第１のＶＣＯ１１１３によって生成された共通周波数信号を周波数変換し、第１の通信回路と第２の通信回路に対してローカル信号を供給する周波数変換器として機能する。
【００２２】
さらに詳細には、第１の無線システムに対応する受信回路１１０１は、第１のＲＦ受信信号１１５１が入力されるアナログ・ダウンコンバータ１１０５と、アナログ・ダウンコンバータ１１０５からの出力信号を入力とし、受信ＢＢ信号１１５５を出力する第１のデジタル・ダウンコンバータ１１０６を備えている。なお、本明細書においては、アナログ・ダウンコンバータ及びアナログ・アップコンバータの総称として「アナログ・コンバータ」と呼び、デジタル・ダウンコンバータ及びデジタル・アップコンバータの総称として「デジタル・コンバータ」と呼ぶ場合がある。
【００２３】
第２の無線システムに対応する受信回路１１０２は、第２のＲＦ受信信号１１５２が入力されるアナログ・ダウンコンバータ１１０８と、アナログ・ダウンコンバータ１１０８からの出力信号を入力し、受信ＢＢ信号１１５６を出力する第２のデジタル・ダウンコンバータ１１０７を備えている。
【００２４】
第１の無線システムに対応する送信回路１１０３は、ＲＦ送信信号１１５３を出力する第１のアナログ・アップコンバータ１１０９と、送信ＢＢ信号１１５７を入力してアナログ・アップコンバータ１１０９への入力信号を出力する第１のデジタル・アップコンバータ１１１０を備えている。
【００２５】
第２の無線システムに対応する送信回路１１０４は、ＲＦ送信信号１１５４を出力する第２のアナログ・アップコンバータ１１１２と、送信ＢＢ信号１１５８を入力してアナログ・アップコンバータ１１１２への入力信号を出力する第２のデジタル・アップコンバータ１１１１を備えている。
【００２６】
第１のＶＣＯ１１１３は、所定の発振周波数を有する信号１１５９を出力する。信号１１５９は、第１の無線システムに対応する送受信回路１１０１，１１０３と第２の無線システムに対応する送受信回路１１０２，１１０４に共通の共通周波数信号である。第２のＶＣＯ１１１４は、所定の発振周波数を有する信号１１６４を出力する。第３のＶＣＯ１１１５は、所定の発振周波数を有する信号１１６５を出力する。
【００２７】
第１の周波数変換器１１１６は、第１のＶＣＯ１１１３の出力信号１１５９の周波数を変換して、第１のアナログ・ダウンコンバータ１１０５及び第１のアナログ・アップコンバータ１１０９に対してローカル信号１１６０を供給する。
【００２８】
第２の周波数変換器１１１７は、第１のＶＣＯ１１１３の出力信号１１５９の周波数を変換して、第２のアナログ・ダウンコンバータ１１０８及び第２のアナログ・アップコンバータ１１１２に対してローカル信号１１６１を供給する。
【００２９】
第３の周波数変換器１１１８は、第２のＶＣＯ１１１４の出力信号１１６４の周波数を変換して、第１のデジタル・ダウンコンバータ１１０６及び第１のデジタル・アップコンバータ１１１０に対してローカル信号１１６２を供給する。
【００３０】
第４の周波数変換器１１１９は、第３のＶＣＯ１１１５の出力信号１１６５の周波数を変換して、第２のデジタル・ダウンコンバータ１１０７及び第２のデジタル・アップコンバータ１１１１に対してローカル信号１１６３を供給する。
【００３１】
ここで、アナログ・アップコンバータ及びアナログ・ダウンコンバータはアナログ信号の周波数変換を、デジタル・アップコンバータ及びデジタル・ダウンコンバータはデジタル信号の周波数変換をそれぞれ行う。また、アナログ信号とデジタル信号との変換には、ＡＤ変換器あるいはＤＡ変換器を用いる。
【００３２】
次に、第１のＶＣＯ１１１３、第２のＶＣＯ１１１４及び第３のＶＣＯ１１１５を構成するＶＣＯの具体的な回路例について図面を参照して詳細に説明する。
【００３３】
図１４に示す回路は、インダクタを用いたＬＣ−ＶＣＯである。このタイプのＶＣＯでは、インダクタの面積が大きい欠点があるものの、位相雑音が低く高周波動作が容易である。なお、インダクタの面積は、周波数が高くなればなるほど、小さくできる。このタイプのＶＣＯを複数集積した場合、インダクタ結合によるスプリアスが発生する問題がある。ちなみに、直交変復調に必要とされるＩＱ信号は、ＶＣＯの出力信号をポリフェーズフィルタあるいは分周器に入力することで得られる。
【００３４】
図１５に示す回路は、インダクタを用いない、インダクタ非内蔵型のリングＶＣＯである。このタイプのＶＣＯでは、位相雑音が悪く高周波動作が難しい欠点があるものの、面積が小さくＶＣＯ間の結合によるスプリアスも少ない。また、リングの段数を偶数段にすることで、直交変復調に必要とされるＩＱ信号を容易に生成できる。
【００３５】
図１６に示す回路は、２つのＬＣ−ＶＣＯを結合させて構成している。このタイプのＶＣＯの特徴は、図１４に示す回路と同じ特徴に加えて、直交変復調に必要とされるＩＱ信号を発生させることができることである。
【００３６】
次に、周波数変換器１１１６〜１１１９の具体的な回路例について図面を参照して詳細に説明する。
【００３７】
図１７に示す回路は、フリップフロップを用いた１／２の周波数変換器（分周器）である。フリップフロップや、論理回路を複数組み合わせることで、１／Ｎの分周器（Ｎは自然数）を構成できる。なお、超高周波の入力信号を分周する際には、インジェクションロッキング型分周器を用いることもできる。
【００３８】
図１８に示す回路は、多相クロック発生回路と位相補間回路、アキュムレータからなる非整数の周波数変換器（分周器）である。この分周器の分周比は、例えば、４５度刻みの位相補間の場合、８／（８＋Ｎ）（Ｎ＝１から７までの整数)となる。
【００３９】
図１９に示す回路は、ＳＳＢ（Single Side Band）ミキサーを用いた周波数変換器である。このタイプの周波数変換器は、図１７や図１８に示す回路と異なり、周波数を高くすることもできる。その周波数変換比は、（１±１／Ｎ）となる。
【００４０】
図２０に示す回路は、周波数変換比＝１の場合、入出力間での周波数が等しく、信号を伝達するバッファである。
【００４１】
次に、本発明の送受信器の動作について図面を参照して詳細に説明する。各ローカル信号の周波数は、第１のＶＣＯ１１１３の発振周波数をｆＶＣＯ１、第２のＶＣＯ１１１４の発振周波数をｆＶＣＯ２、第３のＶＣＯ１１１５の発振周波数をｆＶＣＯ３、各周波数変換器１１１６〜１１１９の周波数変換比を、それぞれＮ／Ｍ、Ｌ／Ｋ、Ｐ／Ｏ、Ｒ／Ｑとすると、以下のように表わされる。ここで、Ｍ〜Ｑは、１以上の整数である。
【００４２】
第１のアナログ・ダウンコンバータ１１０５及び第１のアナログ・アップコンバータ１１０９用のローカル信号１１６０の周波数は、次の通りである。
0005445459.tif 000002
【００４３】
第２のアナログ・ダウンコンバータ１１０８及び第２のアナログ・アップコンバータ１１１２用のローカル信号１１６１の周波数は、次の通りである。
0005445459.tif 000003
【００４４】
第１のデジタル・アップコンバータ１１１０及び第１のデジタル・ダウンコンバータ１１０６用のローカル信号１１６２の周波数は、次の通りである。
0005445459.tif 000004
【００４５】
第２のデジタル・アップコンバータ１１１１及び第２のデジタル・ダウンコンバータ１１０７用のローカル信号１１６３の周波数は、次の通りである。
0005445459.tif 000005
【００４６】
したがって、第１の無線システムに対応する受信ＲＦ信号１１５１、第１の無線システムに対応する送信ＲＦ信号１１５３のキャリア信号周波数ｆｃ１とは次式に示される関係になる。
0005445459.tif 000006
【００４７】
また、第２の無線システムに対応する受信ＲＦ信号１１５２、第２の無線システムに対応する送信ＲＦ信号１１５４のキャリア信号周波数ｆｃ２とは次式に示される関係になる。
0005445459.tif 000007
【００４８】
このように、第１〜第３のＶＣＯの周波数ｆＶＣＯ１、ｆＶＣＯ２、ｆＶＣＯ３や周波数変換比Ｎ〜Ｑの値を適切に選択することにより、各種無線システムのキャリア信号周波数を生成できる。このような構成により、送受信中にＶＣＯの周波数を調整することなく、複数のローカル信号周波数を生成できることにより、同時送受信可能となる。なお、本実施の形態にかかる送受信器は２つの無線システムの送受信構成例を示しているが、当業者であれば、３つ以上の無線システムの送受信にも拡張できることは容易に分かる。
【００４９】
上述のように、本実施の形態１にかかる送受信器によれば、第１の無線システムに対応する通信を行う場合と、第２の無線システムに対応する通信を行う場合で、ＶＣＯの周波数を切り替えて調整するのではなく、送受信中のＶＣＯの周波数を実質的に固定とし、このＶＣＯが生成した周波数信号から周波数変換器により周波数変換してそれぞれの回路（コンバータ）において適した周波数を有するローカル信号を生成するようにしたので、ＶＣＯの周波数を切り替える必要がなく、同時に複数の無線システムに送受信を実現できる。特に、ＵＷＢ（Ultra Wide Band）では、数１００ＭＨｚ程度と他のシステムに比べて、周波数制御単位が比較的大きいため、周波数変換器によって容易に最適なローカル信号を生成することができる。
【００５０】
第１のＶＣＯ１１１３の周波数ｆＶＣＯ１は、第２のＶＣＯ１１１４、第３のＶＣＯ１１１５の周波数ｆＶＣＯ２、ｆＶＣＯ３に比べて、高く設定する。これによって、ＡＤ変換器、あるいはＤＡ変換器のサンプリング速度を低くできるため、ＡＤ変換器、あるいはＤＡ変換器の設計難易度が緩和される。このとき、第１のＶＣＯ１１１３は、比較的に高い周波数信号を発生させる必要があるため、図１４に示すようなインダクタを用いたＶＣＯを用いることが好ましい。本実施の形態１にかかる送受信器では、第１の無線システムに対応する送受信回路と第２の無線システムに対応する送受信回路に共通となる共通周波数信号を一つの第１のＶＣＯ１１１３において発生させており、インダクタ結合によるスプリアスの問題の発生を発生させることがないので、インダクタを用いたＶＣＯを用いることができる。
【００５１】
また、第２のＶＣＯ１１１４及び第３のＶＣＯ１１１５のＶＣＯの周波数は、第１のＶＣＯ１１１３に比べて低いため、インダクタを用いないリングＶＣＯを用いることができ、面積の削減やＶＣＯ間のスプリアスの低減に有効である。
なお、プロセス技術の微細化等により、高速なＡＤ変換器、あるいはＤＡ変換器が容易に設計できるようになれば、第１のＶＣＯの周波数ｆＶＣＯ１を下げて、第２、３のＶＣＯの周波数ｆＶＣＯ２、ｆＶＣＯ３を上げるように設定することもできる。
【００５２】
発明の実施の形態２．
次に、発明の実施の形態２にかかる送受信器について図面を参照して詳細に説明する。
図３は、発明の実施の形態２による送受信器の構成を示すブロック図である。
当該送受信器は、第１の無線システムに対応する受信回路１２０１と、第２の無線システムに対応する受信回路１２０２と、第１の無線システムに対応する送信回路１２０３と、第２の無線システムに対応する送信回路１２０４と、第１のＶＣＯ１２１３と、第２のＶＣＯ１２１４と、第１の周波数変換器１２１６と、第２の周波数変換器１２１７と、第３の周波数変換器１２１８と、第４の周波数変換器１２１９とを備えている。
【００５３】
ここで、第１の無線システムに対応する受信回路１２０１は、第１のＲＦ受信信号１２５１が入力されるアナログ・ダウンコンバータ１２０５と、アナログ・ダウンコンバータ１２０５からの出力信号を入力とし、受信ＢＢ信号１２５５を出力する第１のデジタル・ダウンコンバータ１２０６を備えている。
【００５４】
第２の無線システムに対応する受信回路１２０２は、第２のＲＦ受信信号１２５２が入力されるアナログ・ダウンコンバータ１２０８と、アナログ・ダウンコンバータ１２０８からの出力信号を入力し、受信ＢＢ信号１２５６を出力する第２のデジタル・ダウンコンバータ１２０７を備えている。
【００５５】
第１の無線システムに対応する送信回路１２０３は、ＲＦ送信信号１２５３を出力する第１のアナログ・アップコンバータ１２０９と、送信ＢＢ信号１２５７を入力してアナログ・アップコンバータ１２０９への入力信号を出力する第１のデジタル・アップコンバータ１２１０を備えている。
【００５６】
第２の無線システムに対応する送信回路１２０４は、ＲＦ送信信号１２５４を出力する第２のアナログ・アップコンバータ１２１２と、送信ＢＢ信号１２５８を入力してアナログ・アップコンバータ１２１２への入力信号を出力する第２のデジタル・アップコンバータ１２１１を備えている。
【００５７】
第１のＶＣＯ１２１３は、所定の発振周波数を有する信号１２５９を出力する。第２のＶＣＯ１２１４は、所定の発振周波数を有する信号１２６４を出力する。
【００５８】
第１の周波数変換器１２１６は、第１のＶＣＯ１２１３の出力信号１２５９の周波数を変換して、第１のアナログ・ダウンコンバータ１２０５及び第１のアナログ・アップコンバータ１２０９に対してローカル信号１２６０を供給する。
【００５９】
第２の周波数変換器１２１７は、第１のＶＣＯ１２１３の出力信号１２５９の周波数を変換して、第２のアナログ・ダウンコンバータ１２０８及び第２のアナログ・アップコンバータ１２１２に対してローカル信号１２６１を供給する。
【００６０】
第３の周波数変換器１２１８は、第２のＶＣＯ１２１４の出力信号１２６４の周波数を変換して、第１のデジタル・ダウンコンバータ１２０６及び第１のデジタル・アップコンバータ１２１０に対してローカル信号１２６２を供給する。
【００６１】
第４の周波数変換器１２１９は、第２の周波数変換器１２１７より供給されたローカル信号１２６１の周波数を変換して、第２のデジタル・ダウンコンバータ１２０７及び第２のデジタル・アップコンバータ１２１１に対してローカル信号１２６３を供給する。
【００６２】
ここで、アナログ・アップコンバータ及びアナログ・ダウンコンバータはアナログ信号の周波数変換を、デジタル・アップコンバータ及びデジタル・ダウンコンバータはデジタル信号の周波数変換をそれぞれ行う。また、アナログ信号とデジタル信号との変換には、ＡＤ変換器あるいはＤＡ変換器を用いる。
【００６３】
次に、本発明の送受信器の動作について図面を参照して詳細に説明する。各ローカル信号の周波数は、第１のＶＣＯ１２１３の発振周波数をｆＶＣＯ１、第２のＶＣＯ１２１４の発振周波数をｆＶＣＯ２、各周波数変換器１２１６〜１２１９の周波数変換比を、それぞれＮ／Ｍ、Ｌ／Ｋ、Ｐ／Ｏ、Ｒ／Ｑとすると、以下のように表わされる。ここで、Ｍ〜Ｑは、１以上の整数である。
【００６４】
第１のアナログ・ダウンコンバータ１２０５及び第１のアナログ・アップコンバータ１２０９用のローカル信号１２６０の周波数は、次の通りである。
0005445459.tif 000008
【００６５】
第２のアナログ・ダウンコンバータ１２０８及び第２のアナログ・アップコンバータ１２１２用のローカル信号１２６１の周波数は、次の通りである。
0005445459.tif 000009
【００６６】
第１のデジタル・アップコンバータ１２１０及び第１のデジタル・ダウンコンバータ１２０６用のローカル信号１２６２の周波数は、次の通りである。
0005445459.tif 000010
【００６７】
第２のデジタル・アップコンバータ１２１１及び第２のデジタル・ダウンコンバータ１２０７用のローカル信号１２６３の周波数は、次の通りである。
0005445459.tif 000011
【００６８】
したがって、第１の無線システムに対応する受信ＲＦ信号１２５１、第１の無線システムに対応する送信ＲＦ信号１２５３のキャリア信号周波数ｆｃ１とは次式に示される関係になる。
0005445459.tif 000012
【００６９】
また、第２の無線システムに対応する受信ＲＦ信号１２５２、第２の無線システムに対応する送信ＲＦ信号１２５４のキャリア信号周波数ｆｃ２とは次式に示される関係になる。
0005445459.tif 000013
【００７０】
このような構成により、本発明の実施の形態２にかかる送受信器は、発明の実施の形態１にかかる送受信器と同様の効果を奏するとともに、さらに発明の実施の形態１に比べて、ＶＣＯの数が少ないため、省面積化や低電力化ができる。
【００７１】
発明の実施の形態３．
次に、発明の実施の形態３にかかる送受信器について図面を参照して詳細に説明する。
図４は、発明の実施の形態３による送受信器の構成を示すブロック図である。
当該送受信器は、第１の無線システムに対応する受信回路１８０１と、第２の無線システムに対応する受信回路１８０２と、第１の無線システムに対応する送信回路１８０３と、第２の無線システムに対応する送信回路１８０４と、第１のＶＣＯ１８１３と、第２のＶＣＯ１８１４と、第１の周波数変換器１８１６と、第２の周波数変換器１８１７と、第３の周波数変換器１８１８と、第４の周波数変換器１８１９とを備えている。
【００７２】
ここで、第１の無線システムに対応する受信回路１８０１は、第１のＲＦ受信信号１８５１が入力されるアナログ・ダウンコンバータ１８０５と、アナログ・ダウンコンバータ１８０５からの出力信号を入力とし、受信ＢＢ信号１８５５を出力する第１のデジタル・ダウンコンバータ１８０６を備えている。
【００７３】
第２の無線システムに対応する受信回路１８０２は、第２のＲＦ受信信号１８５２が入力されるアナログ・ダウンコンバータ１８０８と、アナログ・ダウンコンバータ１８０８からの出力信号を入力し、受信ＢＢ信号１８５６を出力する第２のデジタル・ダウンコンバータ１８０７を備えている。
【００７４】
第１の無線システムに対応する送信回路１８０３は、ＲＦ送信信号１８５３を出力する第１のアナログ・アップコンバータ１８０９と、送信ＢＢ信号１８５７を入力してアナログ・アップコンバータ１８０９への入力信号を出力する第１のデジタル・アップコンバータ１８１０を備えている。
【００７５】
第２の無線システムに対応する送信回路１８０４は、ＲＦ送信信号１８５４を出力する第２のアナログ・アップコンバータ１８１２と、送信ＢＢ信号１８５８を入力してアナログ・アップコンバータ１８１２への入力信号を出力する第２のデジタル・アップコンバータ１８１１を備えている。
【００７６】
第１のＶＣＯ１８１３は、所定の発振周波数を有する信号１８５９を出力する。第２のＶＣＯ１８１４は、所定の発振周波数を有する信号１８６４を出力する。
【００７７】
第１の周波数変換器１８１６は、第１のＶＣＯ１８１３の出力信号１８５９の周波数を変換して、第１のアナログ・ダウンコンバータ１８０５及び第１のアナログ・アップコンバータ１８０９に対してローカル信号１８６０を供給する。
【００７８】
第２の周波数変換器１８１７は、第１のＶＣＯ１８１３の出力信号１８５９の周波数を変換して、第２のアナログ・ダウンコンバータ１８０８及び第２のアナログ・アップコンバータ１８１２に対してローカル信号１８６１を供給する。
【００７９】
第３の周波数変換器１８１８は、第２のＶＣＯ１８１４の出力信号１８６４の周波数を変換して、第１のデジタル・ダウンコンバータ１８０６及び第１のデジタル・アップコンバータ１８１０に対してローカル信号１８６２を供給する。
【００８０】
第４の周波数変換器１８１９は、第２のＶＣＯ１８１４の出力信号１８６４の周波数を変換して、第２のデジタル・ダウンコンバータ１８０７及び第２のデジタル・アップコンバータ１８１１に対してローカル信号１８６３を供給する。
【００８１】
ここで、アナログ・アップコンバータ及びアナログ・ダウンコンバータはアナログ信号の周波数変換を、デジタル・アップコンバータ及びデジタル・ダウンコンバータはデジタル信号の周波数変換をそれぞれ行う。また、アナログ信号とデジタル信号との変換には、ＡＤ変換器あるいはＤＡ変換器を用いる。
【００８２】
次に、本発明の送受信器の動作について図面を参照して詳細に説明する。各ローカル信号の周波数は、第１のＶＣＯ１８１３の発振周波数をｆＶＣＯ１、第２のＶＣＯ１８１４の発振周波数をｆＶＣＯ２、各周波数変換器１８１６〜１８１９の周波数変換比を、それぞれＮ／Ｍ、Ｌ／Ｋ、Ｐ／Ｏ、Ｒ／Ｑとすると、以下のように表わされる。ここで、Ｍ〜Ｑは、１以上の整数である。
【００８３】
第１のアナログ・ダウンコンバータ１８０５及び第１のアナログ・アップコンバータ１８０９用のローカル信号１８６０の周波数は、次の通りである。
0005445459.tif 000014
【００８４】
第２のアナログ・ダウンコンバータ１８０８及び第２のアナログ・アップコンバータ１８１２用のローカル信号１８６１の周波数は、次の通りである。
0005445459.tif 000015
【００８５】
第１のデジタル・アップコンバータ１８１０及び第１のデジタル・ダウンコンバータ１８０６用のローカル信号１８６２の周波数は、次の通りである。
0005445459.tif 000016
【００８６】
第２のデジタル・アップコンバータ１８１１及び第２のデジタル・ダウンコンバータ１８０７用のローカル信号１８６３の周波数は、次の通りである。
0005445459.tif 000017
【００８７】
したがって、第１の無線システムに対応する受信ＲＦ信号１８５１、第１の無線システムに対応する送信ＲＦ信号１８５３のキャリア信号周波数ｆｃ１とは次式に示される関係になる。
0005445459.tif 000018
【００８８】
また、第２の無線システムに対応する受信ＲＦ信号１８５２、第２の無線システムに対応する送信ＲＦ信号１８５４のキャリア信号周波数ｆｃ２とは次式に示される関係になる。
0005445459.tif 000019
【００８９】
このような構成により、本発明の実施の形態３にかかる送受信器は、発明の実施の形態１にかかる送受信器と同様の効果を奏するとともに、さらに発明の実施の形態１に比べて、ＶＣＯの数が少ないため、省面積化や低電力化ができる。
【００９０】
発明の実施の形態４．
次に、発明の実施の形態４にかかる送受信器について図面を参照して詳細に説明する。
図５は、発明の実施の形態４による送受信器の構成を示すブロック図である。
当該送受信器は、第１の無線システムに対応する受信回路１３０１と、第２の無線システムに対応する受信回路１３０２と、第１の無線システムに対応する送信回路１３０３と、第２の無線システムに対応する送信回路１３０４と、第１のＶＣＯ１３１３と、第１の周波数変換器１３１６と、第２の周波数変換器１３１７と、第３の周波数変換器１３１８と、第４の周波数変換器１３１９とを備えている。
【００９１】
ここで、第１の無線システムに対応する受信回路１３０１は、第１のＲＦ受信信号１３５１が入力されるアナログ・ダウンコンバータ１３０５と、アナログ・ダウンコンバータ１３０５からの出力信号を入力とし、受信ＢＢ信号１３５５を出力する第１のデジタル・ダウンコンバータ１３０６を備えている。
【００９２】
第２の無線システムに対応する受信回路１３０２は、第２のＲＦ受信信号１３５２が入力されるアナログ・ダウンコンバータ１３０８と、アナログ・ダウンコンバータ１３０８からの出力信号を入力し、受信ＢＢ信号１３５６を出力する第２のデジタル・ダウンコンバータ１３０７を備えている。
【００９３】
第１の無線システムに対応する送信回路１３０３は、ＲＦ送信信号１３５３を出力する第１のアナログ・アップコンバータ１３０９と、送信ＢＢ信号１３５７を入力してアナログ・アップコンバータ１３０９への入力信号を出力する第１のデジタル・アップコンバータ１３１０を備えている。
【００９４】
第２の無線システムに対応する送信回路１３０４は、ＲＦ送信信号１３５４を出力する第２のアナログ・アップコンバータ１３１２と、送信ＢＢ信号１３５８を入力してアナログ・アップコンバータ１３１２への入力信号を出力する第２のデジタル・アップコンバータ１３１１を備えている。
【００９５】
第１のＶＣＯ１３１３は、所定の発振周波数を有する信号１３５９を出力する。
【００９６】
第１の周波数変換器１３１６は、第１のＶＣＯ１３１３の出力信号１３５９の周波数を変換して、第１のアナログ・ダウンコンバータ１３０５及び第１のアナログ・アップコンバータ１３０９に対してローカル信号１３６０を供給する。
【００９７】
第２の周波数変換器１３１７は、第１のＶＣＯ１３１３の出力信号１３５９の周波数を変換して、第２のアナログ・ダウンコンバータ１３０８及び第２のアナログ・アップコンバータ１３１２に対してローカル信号１３６１を供給する。
【００９８】
第３の周波数変換器１３１８は、第１の周波数変換器１３１６から供給されたローカル信号１３６０の周波数を変換して、第１のデジタル・ダウンコンバータ１３０６及び第１のデジタル・アップコンバータ１３１０に対してローカル信号１３６２を供給する。
【００９９】
第４の周波数変換器１３１９は、第２の周波数変換器１３１７より供給されたローカル信号１３６１の周波数を変換して、第２のデジタル・ダウンコンバータ１３０７及び第２のデジタル・アップコンバータ１３１１に対してローカル信号１３６３を供給する。
【０１００】
ここで、アナログ・アップコンバータ及びアナログ・ダウンコンバータはアナログ信号の周波数変換を、デジタル・アップコンバータ及びデジタル・ダウンコンバータはデジタル信号の周波数変換をそれぞれ行う。また、アナログ信号とデジタル信号との変換には、ＡＤ変換器あるいはＤＡ変換器を用いる。
【０１０１】
次に、本発明の送受信器の動作について図面を参照して詳細に説明する。各ローカル信号の周波数は、第１のＶＣＯ１３１３の発振周波数をｆＶＣＯ１、各周波数変換器１３１６〜１３１９の周波数変換比を、それぞれＮ／Ｍ、Ｌ／Ｋ、Ｐ／Ｏ、Ｒ／Ｑとすると、以下のように表わされる。ここで、Ｍ〜Ｑは、１以上の整数である。
【０１０２】
第１のアナログ・ダウンコンバータ１３０５及び第１のアナログ・アップコンバータ１３０９用のローカル信号１３６０の周波数は、次の通りである。
0005445459.tif 000020
【０１０３】
第２のアナログ・ダウンコンバータ１３０８及び第２のアナログ・アップコンバータ１３１２用のローカル信号１３６１の周波数は、次の通りである。
0005445459.tif 000021
【０１０４】
第１のデジタル・アップコンバータ１３１０及び第１のデジタル・ダウンコンバータ１３０６用のローカル信号１３６２の周波数は、次の通りである。
0005445459.tif 000022
【０１０５】
第２のデジタル・アップコンバータ１３１１及び第２のデジタル・ダウンコンバータ１３０７用のローカル信号１３６３の周波数は、次の通りである。
0005445459.tif 000023
【０１０６】
したがって、第１の無線システムに対応する受信ＲＦ信号１３５１、第１の無線システムに対応する送信ＲＦ信号１３５３のキャリア信号周波数ｆｃ１とは次式に示される関係になる。
0005445459.tif 000024
【０１０７】
また、第２の無線システムに対応する受信ＲＦ信号１３５２、第２の無線システムに対応する送信ＲＦ信号１３５４のキャリア信号周波数ｆｃ２とは次式に示される関係になる。
0005445459.tif 000025
【０１０８】
このような構成により、本発明の実施の形態２にかかる送受信器は、発明の実施の形態１にかかる送受信器と同様の効果を奏するとともに、さらに発明の実施の形態１，２，３に比べて、ＶＣＯの数が少ないため、省面積化や低電力化ができる。
【０１０９】
発明の実施の形態５．
次に、発明の実施の形態５にかかる送受信器について図面を参照して詳細に説明する。
図６は、発明の実施の形態５による送受信器の構成を示すブロック図である。
当該送受信器は、第１の無線システムに対応する受信回路１４０１と、第２の無線システムに対応する受信回路１４０２と、第１の無線システムに対応する送信回路１４０３と、第２の無線システムに対応する送信回路１４０４と、第１のＶＣＯ１４１３と、第２のＶＣＯ１４１４と、第１の周波数変換器１４１６と、第２の周波数変換器１４１７と、第３の周波数変換器１４１８とを備えている。
【０１１０】
ここで、第１の無線システムに対応する受信回路１４０１は、第１のＲＦ受信信号１４５１が入力されるアナログ・ダウンコンバータ１４０５と、アナログ・ダウンコンバータ１４０５からの出力信号を入力とし、受信ＢＢ信号１４５５を出力する第１のデジタル・ダウンコンバータ１４０６を備えている。
【０１１１】
第２の無線システムに対応する受信回路１４０２は、第２のＲＦ受信信号１４５２が入力されるアナログ・ダウンコンバータ１４０８と、アナログ・ダウンコンバータ１４０８からの出力信号を入力し、受信ＢＢ信号１４５６を出力する第２のデジタル・ダウンコンバータ１４０７を備えている。
【０１１２】
第１の無線システムに対応する送信回路１４０３は、ＲＦ送信信号１４５３を出力する第１のアナログ・アップコンバータ１４０９と、送信ＢＢ信号１４５７を入力してアナログ・アップコンバータ１４０９への入力信号を出力する第１のデジタル・アップコンバータ１４１０を備えている。
【０１１３】
第２の無線システムに対応する送信回路１４０４は、ＲＦ送信信号１４５４を出力する第２のアナログ・アップコンバータ１４１２と、送信ＢＢ信号１４５８を入力してアナログ・ダウンコンバータ１４１２への入力信号を出力する第２のデジタル・アップコンバータ１４１１を備えている。
【０１１４】
第１のＶＣＯ１４１３は、所定の発振周波数を有する信号１４５９を出力する。第２のＶＣＯ１４１４は、所定の発振周波数を有する信号１４６４を出力する。
【０１１５】
第１の周波数変換器１４１６は、第１のＶＣＯ１４１３の出力信号１４５９の周波数を変換して、第１のアナログ・ダウンコンバータ１４０５及び第１のアナログ・アップコンバータ１４０９に対してローカル信号１４６０を供給する。
【０１１６】
第２の周波数変換器１４１７は、第１のＶＣＯ１４１３の出力信号１４５９の周波数を変換して、第２のアナログ・ダウンコンバータ１４０８及び第２のアナログ・アップコンバータ１４１２に対してローカル信号１４６１を供給する。
【０１１７】
第３の周波数変換器１４１８は、第２のＶＣＯ１４１４の出力信号１４６４の周波数を変換して、第１のデジタル・ダウンコンバータ１４０６及び第１のデジタル・アップコンバータ１４１０に対してローカル信号１４６２を供給する。
【０１１８】
ここで、アナログ・アップコンバータ及びアナログ・ダウンコンバータはアナログ信号の周波数変換を、デジタル・アップコンバータ及びデジタル・ダウンコンバータはデジタル信号の周波数変換をそれぞれ行う。また、アナログ信号とデジタル信号との変換には、ＡＤ変換器あるいはＤＡ変換器を用いる。
【０１１９】
次に、本発明の送受信器の動作について図面を参照して詳細に説明する。各ローカル信号の周波数は、第１のＶＣＯ１４１３の発振周波数をｆＶＣＯ１、第２のＶＣＯ１４１４の発振周波数をｆＶＣＯ２、各周波数変換器１４１６〜１４１８の周波数変換比を、それぞれＮ／Ｍ、Ｌ／Ｋ、Ｐ／Ｏとすると、以下のように表わされる。ここで、Ｍ〜Ｐは、１以上の整数である。
【０１２０】
第１のアナログ・ダウンコンバータ１４０５及び第１のアナログ・アップコンバータ１４０９用のローカル信号１４６０の周波数は、次の通りである。
0005445459.tif 000026
【０１２１】
第２のアナログ・ダウンコンバータ１４０８及び第２のアナログ・アップダウンコンバータ１４１２用のローカル信号１４６１の周波数は、次の通りである。
0005445459.tif 000027
【０１２２】
第１のデジタル・アップコンバータ１４１０及び第１のデジタル・ダウンコンバータ１４０６用のローカル信号１４６２の周波数は、次の通りである。
0005445459.tif 000028
【０１２３】
したがって、第１の無線システムに対応する受信ＲＦ信号１４５１、第１の無線システムに対応する送信ＲＦ信号１４５３のキャリア信号周波数ｆｃ１とは次式に示される関係になる。
0005445459.tif 000029
【０１２４】
また、第２の無線システムに対応する受信ＲＦ信号１４５２、第２の無線システムに対応する送信ＲＦ信号１４５４のキャリア信号周波数ｆｃ２とは次式に示される関係になる。
0005445459.tif 000030
【０１２５】
このような構成により、発明の実施の形態５にかかる送受信器は、発明の実施の形態１にかかる送受信器と同様の効果を奏するとともに、さらに発明の実施の形態１に比べて、ＶＣＯの数が少ないため、省面積化や低電力化ができる。
【０１２６】
図６に示す構成を具体的にＵＷＢ（Ultra Wide Band）へ応用した例について、図面を参照して詳細に説明する。
【０１２７】
図１１は、ＵＷＢのバンドグループ３、４で同時動作可能なＵＷＢ送受信器の構成を示すブロック図である。各バンドグループは３バンドで構成されるため、併せて６バンド分の信号帯域を有する本構成では広帯域伝送が可能である。
【０１２８】
図１１に示されるように、当該ＵＷＢ送受信器は、受信アンプ３１０１、送信アンプ３１０２、第１のアナログ・ダウンコンバータ３１０３、第２のアナログ・ダウンコンバータ３１０４、第１のアナログ・アップコンバータ３１０５、第２のアナログ・アップコンバータ３１０６、第１のアナログＢＢ回路３１０７、第２のアナログＢＢ回路３１０８、第３のアナログＢＢ回路３１０９、第４のアナログＢＢ回路３１１０、第１のデジタルＢＢ回路３１１１、第２のデジタルＢＢ回路３１１２、第３のデジタルＢＢ回路３１１３、第４のデジタルＢＢ回路３１１４、マルチプレクサ３１１５、デマルチプレクサ３１１６、第１のＶＣＯ３１１７、第１の分周器３１１８、第２の分周器３１１９、加算回路３１２０、第２のＶＣＯ３１２１、第３の分周器３１２２を備えている。
【０１２９】
ここで、受信ＲＦ信号３１５１は、受信アンプ３１０１に入力される。送信ＲＦ信号３１５２は送信アンプ３１０２から出力される。受信アンプ３１０１から出力信号３１５３が出力され、第１のアナログ・ダウンコンバータ３１０３から出力信号３１５５が出力される。第２のアナログ・ダウンコンバータ３１０４から出力信号３１５６が出力される。第３のアナログＢＢ回路３１０９から出力信号３１５７が出力される。第４のアナログＢＢ回路３１１０から出力信号３１５８が出力される。第１のアナログＢＢ回路３１０７から出力信号３１５９が出力される。第２のアナログＢＢ回路３１０８から出力信号３１６０が出力される。第３のデジタルＢＢ回路３１１３から出力信号３１６１が出力される。第４のデジタルＢＢ回路３１１４から出力信号３１６２が出力される。第１のデジタルＢＢ回路３１１１から出力信号３１６３が出力される。第２のデジタルＢＢ回路３１１２から出力信号３１６４が出力される。第３のデジタルＢＢ回路３１１３に入力信号３１６５が入力される。第４のデジタルＢＢ回路３１１４に入力信号３１６６が入力される。マルチプレクサ３１１５から出力信号３１６７が出力される。デマルチプレクサ３１１６に入力信号３１６８が入力される。
【０１３０】
次に、具体的な各バンドグループの周波数変換につき説明する。まず、バンドグループ４では、第１のＶＣＯ３１１７の発振周波数信号３１６９を第１の分周器３１１８によって２分周することにより得られた信号３１７０が、第１のアナログ・ダウンコンバータ３１０３と第１のアナログ・アップコンバータ３１０５へ供給される。
【０１３１】
他方、バンドグループ３では、最初に第１のＶＣＯ３１１７の発振周波数信号３１６９を第２の分周器３１１９によって３分周することにより得られた信号３１７１が、第２のアナログ・ダウンコンバータ３１０４と第２のアナログ・アップコンバータ３１０６へ供給される。
【０１３２】
さらに、第２のＶＣＯ３１２１の発振周波数信号３１７３を第３の分周器３１２２によって４分周することにより得られた信号３１７２が、デジタル・ダウンコンバータ及びデジタル・アップコンバータへ供給される。このとき、各周波数はそれぞれ、第１のＶＣＯ３１１７では１７．４２４ＧＨｚ、第１の分周器３１１８の出力では８．７１２ＧＨｚ、第２の分周器３１１９の出力では５．８０８ＧＨｚ、第２のＶＣＯ３１２１では５．２８ＧＨｚ、第３の分周器３１２２の出力では１．３２ＧＨｚである。
【０１３３】
図２２は、ＷｉＭｅｄｉａ規格で定義されているＵＷＢバンドグループを示す図である。図２３は、本実施の形態５をＵＷＢへ応用した具体的な構成のバンドを示す図である。図２３に示すように、第１の分周器３１１８の出力周波数がバンドグループ４の中心周波数に、第２の分周器３１１９の出力周波数と第３の分周器３１２２の出力周波数との和周波数がバンドグループ３の中心周波数となっている。本周波数の組み合わせは、多様に選択することができる。
【０１３４】
図１１に示す構成によれば、第１の送受信器と第２の送受信器との比帯域が小さいため、受信アンプ３１０１および送信アンプ３１０２は共用できる。
【０１３５】
発明の実施の形態６．
次に、発明の実施の形態６にかかる送受信器について図面を参照して詳細に説明する。
図７は、発明の実施の形態６による送受信器の構成を示すブロック図である。
当該送受信器は、第１の無線システムに対応する受信回路１５０１と、第２の無線システムに対応する受信回路１５０２と、第１の無線システムに対応する送信回路１５０３と、第２の無線システムに対応する送信回路１５０４と、第１のＶＣＯ１５１３と、第１の周波数変換器１５１６と、第２の周波数変換器１５１７とを備えている。
【０１３６】
ここで、第１の無線システムに対応する受信回路１５０１は、第１のＲＦ受信信号１５５１が入力されるアナログ・ダウンコンバータ１５０５と、アナログ・ダウンコンバータ１５０５からの出力信号を入力とし、受信ＢＢ信号１５５５を出力する第１のデジタル・ダウンコンバータ１５０６を備えている。
【０１３７】
第２の無線システムに対応する受信回路１５０２は、第２のＲＦ受信信号１５５２が入力されるアナログ・ダウンコンバータ１５０８と、アナログ・ダウンコンバータ１５０８からの出力信号を入力し、受信ＢＢ信号１５５６を出力する第２のデジタル・ダウンコンバータ１５０７を備えている。
【０１３８】
第１の無線システムに対応する送信回路１５０３は、ＲＦ送信信号１５５３を出力する第１のアナログ・アップコンバータ１５０９と、送信ＢＢ信号１５５７を入力してアナログ・アップコンバータ１５０９への入力信号を出力する第１のデジタル・アップコンバータ１５１０を備えている。
【０１３９】
第２の無線システムに対応する送信回路１５０４は、ＲＦ送信信号１５５４を出力する第２のアナログ・アップコンバータ１５１２と、送信ＢＢ信号１５５８を入力してアナログ・アップコンバータ１５１２への入力信号を出力する第２のデジタル・アップコンバータ１５１１を備えている。
【０１４０】
第１のＶＣＯ１５１３は、所定の発振周波数を有する信号１５５９を出力する。
【０１４１】
第１の周波数変換器１５１６は、第１のＶＣＯ１５１３の出力信号１５５９の周波数を変換して、第１のアナログ・ダウンコンバータ１５０５及び第１のアナログ・アップコンバータ１５０９に対してローカル信号１５６０を供給する。
【０１４２】
第２の周波数変換器１５１７は、第１のＶＣＯ１５１３の出力信号１５５９の周波数を変換して、第２のアナログ・ダウンコンバータ１５０８及び第２のアナログ・アップコンバータ１５１２に対してローカル信号１５６１を供給する。
【０１４３】
ここで、アナログ・アップコンバータ及びアナログ・ダウンコンバータはアナログ信号の周波数変換を、デジタル・アップコンバータ及びデジタル・ダウンコンバータはデジタル信号の周波数変換をそれぞれ行う。また、アナログ信号とデジタル信号との変換には、ＡＤ変換器あるいはＤＡ変換器を用いる。
【０１４４】
次に、本発明の送受信器の動作について図面を参照して詳細に説明する。各ローカル信号の周波数は、第１のＶＣＯ１５１３の発振周波数をｆＶＣＯ１、各周波数変換器１５１６、１５１７の周波数変換比を、それぞれＮ／Ｍ、Ｌ／Ｋとすると、以下のように表わされる。ここで、Ｍ〜Ｋは、１以上の整数である。
【０１４５】
第１のアナログ・ダウンコンバータ１５０５及び第１のアナログ・アップコンバータ１５０９用のローカル信号１５６０の周波数は、次の通りである。
0005445459.tif 000031
【０１４６】
第２のアナログ・ダウンコンバータ１５０８及び第２のアナログ・アップコンバータ１５１２用のローカル信号１５６１の周波数は、次の通りである。
0005445459.tif 000032
【０１４７】
したがって、第１の無線システムに対応する受信ＲＦ信号１５５１、第１の無線システムに対応する送信ＲＦ信号１５５３のキャリア信号周波数ｆｃ１とは次式に示される関係になる。
0005445459.tif 000033
【０１４８】
また、第２の無線システムに対応する受信ＲＦ信号１５５２、第２の無線システムに対応する送信ＲＦ信号１５５４のキャリア信号周波数ｆｃ２とは次式に示される関係になる。
0005445459.tif 000034
【０１４９】
このような構成により、本発明の実施の形態６にかかる送受信器は、発明の実施の形態１にかかる送受信器と同様の効果を奏するとともに、さらに発明の実施の形態１，２，３に比べて、ＶＣＯの数が少ないため、省面積化や低電力化ができる。
【０１５０】
なお、本実施の形態において、第１のＶＣＯ１５１３の出力信号１５５９は、第１の周波数変換器１５１６と第２の周波数変換器１５１７を介してローカル信号１５６０，１５６１に変換しているが、第１の周波数変換器１５１６と第２の周波数変換器１５１７のいずれか一方のみとし、他方は、直接、出力信号１５５９をローカル信号としてもよい。
【０１５１】
図７に示す構成を具体的にＵＷＢへ応用した例について、図面を参照して詳細に説明する。
【０１５２】
図１２は、ＵＷＢ帯域のバンドグループＡ、Ｂで同時動作可能なＵＷＢ送受信器の第１の構成例を示すブロック図である。ここで、バンドグループＡ、Ｂは既存のバンドグループの周波数とは一致していない仮に設定した周波数である。送信電力を微少にすれば、既存の規格のバンド配置を満たしていなくても、このように自由に周波数を設定できる。なお、各バンドグループは３バンドで構成されるため、併せて６バンド分の信号帯域を有する本構成では広帯域伝送が可能である。このとき、１バンドは５２８ＭＨｚ帯域を有するとする。
【０１５３】
図１２に示されるように、当該ＵＷＢ送受信器は、受信アンプ３２０１、送信アンプ３２０２、第１のアナログ・ダウンコンバータ３２０３、第２のアナログ・ダウンコンバータ３２０４、第１のアナログ・アップコンバータ３２０５、第２のアナログ・アップコンバータ３２０６、第１のアナログＢＢ回路３２０７、第２のアナログＢＢ回路３２０８、第３のアナログＢＢ回路３２０９、第４のアナログＢＢ回路３２１０、第１のデジタルＢＢ回路３２１１、第２のデジタルＢＢ回路３２１２、第３のデジタルＢＢ回路３２１３、第４のデジタルＢＢ回路３２１４、マルチプレクサ３２１５、デマルチプレクサ３２１６、第１のＶＣＯ３２１７、第１の分周器３２１８、第２の分周器３２１９、加算回路３２２０を備えている。
【０１５４】
ここで、受信ＲＦ信号３２５１は、受信アンプ３２０１に入力される。送信ＲＦ信号３２５２は、送信アンプ３２０２から出力される。受信アンプ３２０１から出力信号３２５３が出力され、第１のアナログ・ダウンコンバータ３２０３から出力信号３２５５が出力される。第２のアナログ・ダウンコンバータ３２０４から出力信号３２５６が出力される。第３のアナログＢＢ回路３２０９から出力信号３２５７が出力される。第４のアナログＢＢ回路３２１０から出力信号３２５８が出力される。第１のアナログＢＢ回路３２０７から出力信号３２５９が出力される。第２のアナログＢＢ回路３２０８から出力信号３２６０が出力される。第３のデジタルＢＢ回路３２１３から出力信号３２６１が出力される。第４のデジタルＢＢ回路３２１４から出力信号３２６２が出力される。第１のデジタルＢＢ回路３２１１から出力信号３２６３が出力される。第２のデジタルＢＢ回路３２１２から出力信号３２６４が出力される。第３のデジタルＢＢ回路３２１３に入力信号３２６５が入力される。第４のデジタルＢＢ回路３２１４に入力信号３２６６が入力される。マルチプレクサ３２１５から出力信号３２６７が出力される。デマルチプレクサ３２１６に入力信号３２６８が入力される。
【０１５５】
次に、具体的な各バンドグループの周波数変換につき説明する。まず、バンドグループＡでは、第１のＶＣＯ３２１７の発振周波数信号３２６９を第１の分周器３２１８によって２分周することにより得られた信号３２７０が、第１のアナログ・ダウンコンバータ３２０３と第１のアナログ・アップコンバータ３２０５へ供給される。
【０１５６】
他方、バンドグループＢでは、第１のＶＣＯ３２１７の発振周波数信号３２６９を第２の分周器３２１９によって３分周することで得られた信号３２７１が、第２のアナログ・ダウンコンバータ３２０４と第２のアナログ・アップコンバータ３２０６へ供給される。このとき、各周波数はそれぞれ、第１のＶＣＯ３２１７では１８ＧＨｚ、第１の分周器３２１８の出力では９ＧＨｚ、第２の分周器３２１９の出力では６ＧＨｚである。
【０１５７】
図２４に示すように、本構成でも、第１の送受信器と第２の送受信器との比帯域が小さいため、受信アンプ３２０１および送信アンプ３２０２は共用できる。なお、その比帯域は９/６＝１．５である
【０１５８】
図１３は、ＵＷＢ帯域のバンドグループＡ、Ｂで同時動作可能なＵＷＢ送受信器の第２の構成例を示すブロック図である。ここで、バンドグループＡ、Ｂは既存のバンドグループの周波数とは一致していない、仮に設定した周波数である。送信電力を微少にすれば、既存の規格のバンド配置を満たしていなくても、このように自由に周波数を設定できる。なお、各バンドグループは３バンドで構成されるため、併せて６バンド分の信号帯域を有する本構成では広帯域伝送が可能である。このとき、１バンドは５２８ＭＨｚ帯域を有するとする。
【０１５９】
当該ＵＷＢ送受信器は、受信アンプ３３０１、送信アンプ３３０２、第１のアナログ・ダウンコンバータ３３０３、第２のアナログ・ダウンコンバータ３３０４、第１のアナログ・アップコンバータ３３０５、第２のアナログ・アップコンバータ３３０６、第１のアナログＢＢ回路３３０７、第２のアナログＢＢ回路３３０８、第３のアナログＢＢ回路３３０９、第４のアナログＢＢ回路３３１０、第１のデジタルＢＢ回路３３１１、第２のデジタルＢＢ回路３３１２、第３のデジタルＢＢ回路３３１３、第４のデジタルＢＢ回路３３１４、マルチプレクサ３３１５、デマルチプレクサ３３１６、第１のＶＣＯ３３１７、第１の分周器３３１８、加算回路３３２０を備えている。
【０１６０】
ここで、受信ＲＦ信号３３５１は受信アンプ３３０１に入力される。送信ＲＦ信号３３５２は送信アンプ３３０２から出力される。受信アンプ３３０１から出力信号３３５３が出力される。第１のアナログ・ダウンコンバータ３３０３から出力信号３３５５が出力される。第２のアナログ・ダウンコンバータ３３０４から出力信号３３５６が出力される。第３のアナログＢＢ回路３３０９から出力信号３３５７が出力される。第４のアナログＢＢ回路３３１０から出力信号３３５８が出力される。第１のアナログＢＢ回路３３０７から出力信号３３５９が出力される。第２のアナログＢＢ回路３３０８から出力信号３３６０が出力される。第３のデジタルＢＢ回路３３１３から出力信号３３６１が出力される。第４のデジタルＢＢ回路３３１４から出力信号３３６２が出力される。第１のデジタルＢＢ回路３３１１から出力信号３３６３が出力される。第２のデジタルＢＢ回路３３１２から出力信号３３６４が出力される。第３のデジタルＢＢ回路３３１３に入力信号３３６５が入力される。第４のデジタルＢＢ回路３３１４に入力信号３３６６が入力される。マルチプレクサ３３１５から出力信号３３６７が出力される。デマルチプレクサ３３１６に入力信号３３６８が入力される。
【０１６１】
次に、具体的な各バンドグループの周波数変換について説明する。まず、バンドグループＡでは、第１のＶＣＯ３３１７の周波数が、第１のアナログ・ダウンコンバータ３３０３及び第２のアナログ・アップコンバータ３３０５へ供給される。
【０１６２】
他方、バンドグループＢでは、第１のＶＣＯ３３１７の周波数を第１の分周器３３１８により１．２５分周することによって得られた信号３３７１が、第２のアナログ・ダウンコンバータ３３０４及び第２のアナログ・アップコンバータ３３０６へ供給される。このとき、各周波数はそれぞれ、第１のＶＣＯ３３１７では９ＧＨｚ、第１の分周器３３１８の出力では７．２ＧＨｚである。図２５に示すように、本構成でも、第１の送受信器と第２の送受信器との比帯域が小さいため、受信アンプ３３０１および送信アンプ３３０２は共用できる。なお、その比帯域は、図２４の場合に比べて小さく、９/７．２＝１．２５である。また、ＶＣＯの周波数は約半分と低いため、設計難易度が緩和される。
【０１６３】
発明の実施の形態７．
次に、発明の実施の形態７にかかる送受信器について図面を参照して詳細に説明する。
図８は、発明の実施の形態７による送受信器の構成を示すブロック図である。
当該送受信器は、第１の無線システムに対応する受信回路１６０１と、第２の無線システムに対応する受信回路１６０２と、第１の無線システムに対応する送信回路１６０３と、第２の無線システムに対応する送信回路１６０４と、第１のＶＣＯ１６１３と、第２のＶＣＯ１６１４と、第３のＶＣＯ１６１５と、第１の周波数変換器１６１６と、第２の周波数変換器１６１７と、第３の周波数変換器１６１８と、第４の周波数変換器１６１９と、電力制御回路１６２０を備えている。
【０１６４】
ここで、第１の無線システムに対応する受信回路１６０１は、第１のＲＦ受信信号１６５１が入力されるアナログ・ダウンコンバータ１６０５と、アナログ・ダウンコンバータ１６０５からの出力信号を入力とし、受信ＢＢ信号１６５５を出力する第１のデジタル・ダウンコンバータ１６０６を備えている。
【０１６５】
第２の無線システムに対応する受信回路１６０２は、第２のＲＦ受信信号１６５２が入力されるアナログ・ダウンコンバータ１６０８と、アナログ・ダウンコンバータ１６０８からの出力信号を入力し、受信ＢＢ信号１６５６を出力する第２のデジタル・ダウンコンバータ１６０７を備えている。
【０１６６】
第１の無線システムに対応する送信回路１６０３は、ＲＦ送信信号１６５３を出力する第１のアナログ・アップコンバータ１６０９と、送信ＢＢ信号１６５７を入力してアナログ・アップコンバータ１６０９への入力信号を出力する第１のデジタル・アップコンバータ１６１０を備えている。
【０１６７】
第２の無線システムに対応する送信回路１６０４は、ＲＦ送信信号１６５４を出力する第２のアナログ・アップコンバータ１６１２と、送信ＢＢ信号１６５８を入力してアナログ・アップコンバータ１６１２への入力信号を出力する第２のデジタル・アップコンバータ１６１１を備えている。
【０１６８】
第１のＶＣＯ１６１３は、所定の発振周波数を有する信号１６５９を出力する。第２のＶＣＯ１６１４は、所定の発振周波数を有する信号１６６４を出力する。第３のＶＣＯ１６１５は、所定の発振周波数を有する信号１６６５を出力する。
【０１６９】
第１の周波数変換器１６１６は、第１のＶＣＯ１６１３の出力信号１６５９の周波数を変換して、第１のアナログ・ダウンコンバータ１６０５及び第１のアナログ・アップコンバータ１６０９に対してローカル信号１６６０を供給する。
【０１７０】
第２の周波数変換器１６１７は、第１のＶＣＯ１６１３の出力信号１６５９の周波数を変換して、第２のアナログ・ダウンコンバータ１６０８及び第２のアナログ・アップコンバータ１６１２に対してローカル信号１６６１を供給する。
【０１７１】
第３の周波数変換器１６１８は、第２のＶＣＯ１６１４の出力信号１６６４の周波数を変換して、第１のデジタル・ダウンコンバータ１６０６及び第１のデジタル・アップコンバータ１６１０に対してローカル信号１６６２を供給する。
【０１７２】
第４の周波数変換器１６１９は、第３のＶＣＯ１６１５の出力信号１６６５の周波数を変換して、第２のデジタル・ダウンコンバータ１６０７及び第２のデジタル・アップコンバータ１６１１に対してローカル信号１６６３を供給する。
【０１７３】
電力制御回路１６２０は、電力制御信号１６６６を生成し、両送受信器の電力制御を行う。電力制御の詳細については後に詳述する。
【０１７４】
ここで、アナログ・アップコンバータ及びアナログ・ダウンコンバータはアナログ信号の周波数変換を、デジタル・アップコンバータ及びデジタル・ダウンコンバータはデジタル信号の周波数変換をそれぞれ行う。また、アナログ信号とデジタル信号との変換には、ＡＤ変換器あるいはＤＡ変換器を用いる。
【０１７５】
次に、本発明の動作と効果について図面を参照して詳細に説明する。図２６は、具体的な電力制御の動作波形を示した図である。電力制御信号１６６６がＨｉｇｈの場合、両送受信器は動作することで、大電力で広帯域伝送モードとなる。一方、電力制御信号１６６６がＬｏｗの場合、第１の無線システムに対応する第１の送受信器は動作するのに対し、第２の無線システムに対応する第２の送受信器は電源がオフになって停止することで、省電力で狭帯域伝送モードとなる。このように、そのときどきで必要な帯域に従って送受信器の電力制御することにより、低電力化できる。
【０１７６】
発明の実施の形態８．
次に、発明の実施の形態８にかかる送受信器について図面を参照して詳細に説明する。
図９は、発明の実施の形態８による送受信器の構成を示すブロック図である。
当該送受信器は、第１の無線システムに対応する受信回路１７０１と、第２の無線システムに対応する受信回路１７０２と、第２の無線システムに対応する送信回路１７０４と、第１のＶＣＯ１７１３と、第２のＶＣＯ１７１４と、第１の周波数変換器１７１６と、第２の周波数変換器１７１７と、第３の周波数変換器１７１８と、第４の周波数変換器１７１９とを備えている。
【０１７７】
ここで、第１の無線システムに対応する受信回路１７０１は、第１のＲＦ受信信号１７５１が入力されるアナログ・ダウンコンバータ１７０５と、アナログ・ダウンコンバータ１７０５からの出力信号を入力とし、受信ＢＢ信号１７５５を出力する第１のデジタル・ダウンコンバータ１７０６を備えている。
【０１７８】
第２の無線システムに対応する受信回路１７０２は、第２のＲＦ受信信号１７５２が入力されるアナログ・ダウンコンバータ１７０８と、アナログ・ダウンコンバータ１７０８からの出力信号を入力し、受信ＢＢ信号１７５６を出力する第２のデジタル・ダウンコンバータ１７０７を備えている。
【０１７９】
第２の無線システムに対応する送信回路１７０４は、ＲＦ送信信号１７５４を出力する第２のアナログ・アップコンバータ１７１２と、送信ＢＢ信号１７５８を入力してアナログ・アップコンバータ１７１２への入力信号を出力する第２のデジタル・アップコンバータ１７１１を備えている。
【０１８０】
第１のＶＣＯ１７１３は、所定の発振周波数を有する信号１７５９を出力する。第２のＶＣＯ１７１４は、所定の発振周波数を有する信号１７６４を出力する。第３のＶＣＯ１７１５は、所定の発振周波数を有する信号１７６５を出力する。
【０１８１】
第１の周波数変換器１７１６は、第１のＶＣＯ１７１３の出力信号１７５９の周波数を変換して、第１のアナログ・ダウンコンバータ１７０５に対してローカル信号１７６０を供給する。
【０１８２】
第２の周波数変換器１７１７は、第１のＶＣＯ１７１３の出力信号１７５９の周波数を変換して、第２のアナログ・ダウンコンバータ１７０８及び第２のアナログ・アップコンバータ１７１２に対してローカル信号１７６１を供給する。
【０１８３】
第３の周波数変換器１７１８は、第２のＶＣＯ１７１４の出力信号１７６４の周波数を変換して、第１のデジタル・ダウンコンバータ１７０６に対してローカル信号１７６２を供給する。
【０１８４】
第４の周波数変換器１７１９は、第３のＶＣＯ１７１５の出力信号１７６５の周波数を変換して、第２のデジタル・ダウンコンバータ１７０７及び第２のデジタル・アップコンバータ１７１１に対してローカル信号１７６３を供給する。
【０１８５】
ここで、アナログ・アップコンバータ及びアナログ・ダウンコンバータはアナログ信号の周波数変換を、デジタル・アップコンバータ及びデジタル・ダウンコンバータはデジタル信号の周波数変換をそれぞれ行う。また、アナログ信号とデジタル信号との変換には、ＡＤ変換器あるいはＤＡ変換器を用いる。
【０１８６】
次に、本発明の動作と効果について図面を参照して詳細に説明する。図８に示すように、受信側は２つの規格、あるいはバンド（バンドグループ）を受信するのに対して、送信側は１つの規格、あるいはバンド（バンドグループ）のみを送信する。このような構成にすることによって、発明の実施の形態１にかかる送受信器に比べて、ローカル信号の分配が簡略化できる。なお、この構成は受信側と送信側の規格、あるいはバンド（バンドグループ）の数を入れ替えた構成にもできる。
【０１８７】
発明の実施の形態９．
次に、発明の実施の形態９にかかる送受信器について図面を参照して詳細に説明する。
図１０は、発明の実施の形態９による送受信器の構成を示すブロック図である。
当該送受信器は、第１の無線システムに対応する受信回路１９０１と、第２の無線システムに対応する送信回路１９０４と、第１のＶＣＯ１９１３と、第２のＶＣＯ１９１４と、第１の周波数変換器１９１６と、第２の周波数変換器１９１７と、第３の周波数変換器１９１８と、第４の周波数変換器１９１９とを備えている。
【０１８８】
ここで、第１の無線システムに対応する受信回路１９０１は、第１のＲＦ受信信号１９５１が入力されるアナログ・ダウンコンバータ１９０５と、アナログ・ダウンコンバータ１９０５からの出力信号を入力とし、受信ＢＢ信号１９５５を出力する第１のデジタル・ダウンコンバータ１９０６を備えている。
【０１８９】
第２の無線システムに対応する送信回路１９０４は、ＲＦ送信信号１９５４を出力する第２のアナログ・アップコンバータ１９１２と、送信ＢＢ信号１９５８を入力してアナログ・アップコンバータ１９１２への入力信号を出力する第２のデジタル・アップコンバータ１９１１を備えている。
【０１９０】
第１のＶＣＯ１９１３は、所定の発振周波数を有する信号１９５９を出力する。第２のＶＣＯ１９１４は、所定の発振周波数を有する信号１９６４を出力する。第３のＶＣＯ１９１５は、所定の発振周波数を有する信号１９６５を出力する。
【０１９１】
第１の周波数変換器１９１６は、第１のＶＣＯ１９１３の出力信号１９５９の周波数を変換して、第１のアナログ・ダウンコンバータ１９０５に対してローカル信号１９６０を供給する。
【０１９２】
第２の周波数変換器１９１７は、第１のＶＣＯ１９１３の出力信号１９５９の周波数を変換して、第２のアナログ・アップコンバータ１９１２に対してローカル信号１９６１を供給する。
【０１９３】
第３の周波数変換器１９１８は、第２のＶＣＯ１９１４の出力信号１９６４の周波数を変換して、第１のデジタル・ダウンコンバータ１９０６に対してローカル信号１９６２を供給する。
【０１９４】
第４の周波数変換器１９１９は、第３のＶＣＯ１９１５の出力信号１９６５の周波数を変換して、第２のデジタル・アップコンバータ１９１１に対してローカル信号１９６３を供給する。
【０１９５】
ここで、アナログ・アップコンバータ及びアナログ・ダウンコンバータはアナログ信号の周波数変換を、デジタル・アップコンバータ及びデジタル・ダウンコンバータはデジタル信号の周波数変換をそれぞれ行う。また、アナログ信号とデジタル信号との変換には、ＡＤ変換器あるいはＤＡ変換器を用いる。
【０１９６】
次に、本発明の動作と効果について図面を参照して詳細に説明する。図９に示すように、受信側は１つの規格、あるいはバンド（バンドグループ）のみを受信するのに対して、送信側も１つの規格、あるいはバンド（バンドグループ）のみを送信する。ただし、両規格が異なるとする。このような構成にすることで、発明の実施の形態８にかかる送受信器に比べて、ローカル信号の分配がさらに簡略化できる。なお、この構成は受信側と送信側の規格、あるいはバンド（バンドグループ）を入れ替えた構成にもできる。
【０１９７】
以上、実施の形態を参照して本願発明を説明したが、本願発明は上記によって限定されるものではない。本願発明の構成や詳細には、発明のスコープ内で当業者が理解し得る様々な変更をすることができる。
【０１９８】
この出願は、２００８年９月２日に出願された日本出願特願２００８−２２４５１６を基礎とする優先権を主張し、その開示の全てをここに取り込む。
【産業上の利用可能性】
【０１９９】
本発明は、複数の無線規格或いは複数のバンド（バンドグループ）の信号を送受信可能な送受信器に利用することができる。
【符号の説明】
【０２００】
１ａ  第１の通信回路、１ｂ  第２の通信回路、２  発振器、３ａ  第１の周波数変換器、３ｂ  第２の周波数変換器、１１０１  第１の無線システムに対応する受信回路、１１０２  第２の無線システム・バンドに対応する受信回路、１１０３  第１の無線システムに対応する送信回路、１１０４  第２の無線システムに対応する送信回路、１１０５  第１のアナログ・ダウンコンバータ、１１０６  第１のデジタル・ダウンコンバータ、１１０７  第２のデジタル・ダウンコンバータ、１１０８  第２のアナログ・ダウンコンバータ、１１０９  第１のアナログ・アップコンバータ、１１１０  第１のデジタル・アップコンバータ、１１１１  第２のデジタル・アップコンバータ、１１１２  第２のアナログ・アップコンバータ、１１１３  第１のＶＣＯ、１１１４  第２のＶＣＯ、１１１５  第３のＶＣＯ、１１１６  第１の周波数変換器、１１１７  第２の周波数変換器、１１１８  第３の周波数変換器、１１１９  第４の周波数変換器、１１５１  第１の無線システムの受信ＲＦ信号、１１５２  第２の無線システムの受信ＲＦ信号、１１５３  第１の無線システムの送信ＲＦ信号、１１５４  第２の無線システムの送信ＲＦ信号、１１５５  第１の無線システムの受信ＢＢ信号、１１５６  第２の無線システムの受信ＢＢ信号、１１５７  第１の無線システムの送信ＢＢ信号、１１５８  第２の無線システムの送信ＢＢ信号、１１５９  第１のＶＣＯの出力信号、１１６０  第１のアナログ・アップ/ダウンコンバータ用ローカル信号、１１６１  第２のアナログ・アップ/ダウンコンバータ用ローカル信号、１１６２  第１のデジタル・アップ/ダウンコンバータ用ローカル信号、１１６３  第２のデジタル・アップ/ダウンコンバータ用ローカル信号、１１６４  第２のＶＣＯの出力信号、１１６５  第３のＶＣＯの出力信号、１２０１  第１の無線システムに対応する受信回路、１２０２  第２の無線システムに対応する受信回路、１２０３  第１の無線システムに対応する送信回路、１２０４  第２の無線システムに対応する送信回路、１２０５  第１のアナログ・ダウンコンバータ、１２０６  第１のデジタル・ダウンコンバータ、１２０７  第２のデジタル・ダウンコンバータ、１２０８  第２のアナログ・ダウンコンバータ、１２０９  第１のアナログ・アップコンバータ、１２１０  第１のデジタル・アップコンバータ、１２１１は第２のデジタル・アップコンバータ、１２１２  第２のアナログ・アップコンバータ、１２１３  第１のＶＣＯ、１２１４  第２のＶＣＯ、１２１６  第１の周波数変換器、１２１７  第２の周波数変換器、１２１８  第３の周波数変換器、１２１９  第４の周波数変換器、１２５１  第１の無線システムの受信ＲＦ信号、１２５２  第２の無線システムの受信ＲＦ信号、１２５３  第１の無線システムの送信ＲＦ信号、１２５４  第２の無線システムの送信ＲＦ信号、１２５５  第１の無線システムの受信ＢＢ信号、１２５６  第２の無線システムの受信ＢＢ信号、１２５７  第１の無線システムの送信ＢＢ信号、１２５８  第２の無線システムの送信ＢＢ信号、１２５９  第１のＶＣＯの出力信号、１２６０  第１のアナログ・アップ/ダウンコンバータ用ローカル信号、１２６１  第２のアナログ・アップ/ダウンコンバー���用ローカル信号、１２６２  第１のデジタル・アップ/ダウンコンバータ用ローカル信号、１２６３  第２のデジタル・アップ/ダウンコンバータ用ローカル信号、１２６４  第２のＶＣＯの出力信号、１８０１  第１の無線システムに対応する受信回路、１８０２  第２の無線システムに対応する受信回路、１８０３  第１の無線システムに対応する送信回路、１８０４  第２の無線システムに対応する送信回路、１８０５  第１のアナログ・ダウンコンバータ、１８０６  第１のデジタル・ダウンコンバータ、１８０７  第２のデジタル・ダウンコンバータ、１８０８  第２のアナログ・ダウンコンバータ、１８０９  第１のアナログ・アップコンバータ、１８１０  第１のデジタル・アップコンバータ、１８１１  第２のデジタル・アップコンバータ、１８１２  第２のアナログ・アップコンバータ、１８１３  第１のＶＣＯ、１８１４  第２のＶＣＯ、１８１６  第１の周波数変換器、１８１７  第２の周波数変換器、１８１８  第３の周波数変換器、１８１９  第４の周波数変換器、１８５１  第１の無線システムの受信ＲＦ信号、１８５２  第２の無線システムの受信ＲＦ信号、１８５３  第１の無線システムの送信ＲＦ信号、１８５４  第２の無線システムの送信ＲＦ信号、１８５５  第１の無線システムの受信ＢＢ信号、１８５６  第２の無線システムの受信ＢＢ信号、１８５７  第１の無線システムの送信ＢＢ信号、１８５８  第２の無線システムの送信ＢＢ信号、１８５９  第１のＶＣＯの出力信号、１８６０  第１のアナログ・アップ/ダウンコンバータ用ローカル信号、１８６１  第２のアナログ・アップ/ダウンコンバータ用ローカル信号、１８６２  第１のデジタル・アップ/ダウンコンバータ用ローカル信号、１８６３  第２のデジタル・アップ/ダウンコンバータ用ローカル信号、１８６４  第２のＶＣＯの出力信号、１３０１  第１の無線システムに対応する受信回路、１３０２  第２の無線システムに対応する受信回路、１３０３  第１の無線システムに対応する送信回路、１３０４  第２の無線システムに対応する送信回路、１３０５  第１のアナログ・ダウンコンバータ、１３０６  第１のデジタル・ダウンコンバータ、１３０７  第２のデジタル・ダウンコンバータ、１３０８  第２のアナログ・ダウンコンバータ、１３０９  第１のアナログ・アップコンバータ、１３１０  第１のデジタル・アップコンバータ、１３１１  第２のデジタル・アップコンバータ、１３１２  第２のアナログ・アップコンバータ、１３１３  第１のＶＣＯ、１３１６  第１の周波数変換器、１３１７  第２の周波数変換器、１３１８  第３の周波数変換器、１３１９  第４の周波数変換器、１３５１  第１の無線システムの受信ＲＦ信号、１３５２  第２の無線システムの受信ＲＦ信号、１３５３  第１の無線システムの送信ＲＦ信号、１３５４  第２の無線システムの送信ＲＦ信号、１３５５  第１の無線システムの受信ＢＢ信号、１３５６  第２の無線システムの受信ＢＢ信号、１３５７  第１の無線システムの送信ＢＢ信号、１３５８  第２の無線システムの送信ＢＢ信号、１３５９  第１のＶＣＯの出力信号、１３６０  第１のアナログ・アップ/ダウンコンバータ用ローカル信号、１３６１  第２のアナログ・アップ/ダウンコンバータ用ローカル信��、１３６２  第１のデジタル・アップ/ダウンコンバータ用ローカル信号、１３６３  第２のデジタル・アップ/ダウンコンバータ用ローカル信号、１４０１  第１の無線システムに対応する受信回路、１４０２  第２の無線システムに対応する受信回路、１４０３  第１の無線システムに対応する送信回路、１４０４  第２の無線システムに対応する送信回路、１４０５  第１のアナログ・ダウンコンバータ、１４０６  第１のデジタル・ダウンコンバータ、１４０７  第２のデジタル・ダウンコンバータ、１４０８  第２のアナログ・ダウンコンバータ、１４０９  第１のアナログ・アップコンバータ、１４１０  第１のデジタル・アップコンバータ、１４１１  第２のデジタル・アップコンバータ、１４１２  第２のアナログ・アップコンバータ、１４１３  第１のＶＣＯ、１４１４  第２のＶＣＯ、１４１６  第１の周波数変換器、１４１７  第２の周波数変換器、１４１８  第３の周波数変換器、１４５１  第１の無線システムの受信ＲＦ信号、１４５２  第２の無線システムの受信ＲＦ信号、１４５３  第１の無線システムの送信ＲＦ信号、１４５４  第２の無線システムの送信ＲＦ信号、１４５５  第１の無線システムの受信ＢＢ信号、１４５６  第２の無線システムの受信ＢＢ信号、１４５７  第１の無線システムの送信ＢＢ信号、１４５８  第２の無線システムの送信ＢＢ信号、１４５９  第１のＶＣＯの出力信号、１４６０  第１のアナログ・アップ/ダウンコンバータ用ローカル信号、１４６１  第２のアナログ・アップ/ダウンコンバータ用ローカル信号、１４６２  第１のデジタル・アップ/ダウンコンバータ用ローカル信号、１４６４  第２のＶＣＯの出力信号、１５０１  第１の無線システムに対応する受信回路、１５０２  第２の無線システムに対応する受信回路、１５０３  第１の無線システムに対応する送信回路、１５０４  第２の無線システムに対応する送信回路、１５０５  第１のアナログ・ダウンコンバータ、１５０６  第１のデジタル・ダウンコンバータ、１５０７  第２のデジタル・ダウンコンバータ、１５０８  第２のアナログ・ダウンコンバータ、１５０９  第１のアナログ・アップコンバータ、１５１０  第１のデジタル・アップコンバータ、１５１１  第２のデジタル・アップコンバータ、１５１２  第２のアナログ・アップコンバータ、１５１３  第１のＶＣＯ、１５１６  第１の周波数変換器、１５１７  第２の周波数変換器、１５５１  第１の無線システムの受信ＲＦ信号、１５５２  第２の無線システムの受信ＲＦ信号、１５５３  第１の無線システムの送信ＲＦ信号、１５５４  第２の無線システムの送信ＲＦ信号、１５５５  第１の無線システムの受信ＢＢ信号、１５５６  第２の無線システムの受信ＢＢ信号、１５５７  第１の無線システムの送信ＢＢ信号、１５５８  第２の無線システムの送信ＢＢ信号、１５５９  第１のＶＣＯの出力信号、１５６０  第１のアナログ・アップ/ダウンコンバータ用ローカル信号、１５６１  第２のアナログ・アップ/ダウンコンバータ用ローカル信号、１６０１  第１の無線システムに対応する受信回路、１６０２  第２の無線システムに対応する受信回路、１６０３  第１の無線システムに対応する送信回路、１６０４  第２の無線システムに対応する送信回路、１６０５  第１のアナログ・ダウンコンバータ、１６０６  第１のデジタル・ダウンコンバータ、１６０７  第２のデジタル・ダウンコンバータ、１６０８  第２のアナログ・ダウンコンバータ、１６０９  第１のアナログ・アップコンバータ、１６１０  第１のデジタル・アップコンバータ、１６１１  第２のデジタル・アップコンバータ、１６１２  第２のアナログ・アップコンバータ、１６１３  第１のＶＣＯ、１６１４  第２のＶＣＯ、１６１５  第３のＶＣＯ、１６１６  第１の周波数変換器、１６１７  第２の周波数変換器、１６１８  第３の周波数変換器、１６１９  第４の周波数変換器、１６２０  電力制御回路、１６５１  第１の無線システムの受信ＲＦ信号、１６５２  第２の無線システムの受信ＲＦ信号、１６５３  第１の無線システムの送信ＲＦ信号、１６５４  第２の無線システムの送信ＲＦ信号、１６５５  第１の無線システムの受信ＢＢ信号、１６５６  第２の無線システムの受信ＢＢ信号、１６５７  第１の無線システムの送信ＢＢ信号、１６５８  第２の無線システムの送信ＢＢ信号、１６５９  第１のＶＣＯの出力信号、１６６０  第１のアナログ・アップ/ダウンコンバータ用ローカル信号、１６６１  第２のアナログアップ/ダウンコンバータ用ローカル信号、１６６２  第１のデジタル・アップ/ダウンコンバータ用ローカル信号、１６６３  第２のデジタル・アップ/ダウンコンバータ用ローカル信号、１６６４  第２のＶＣＯの出力信号、１６６５  第３のＶＣＯの出力信号、１６６６  電力制御信号、１７０１  第１の無線システムに対応する受信回路、１７０２  第２の無線システムに対応する受信回路、１７０４  第２の無線システムに対応する送信回路、１７０５  第１のアナログ・ダウンコンバータ、１７０６  第１のデジタル・ダウンコンバータ、１７０７  第２のデジタル・ダウンコンバータ、１７０８  第２のアナログ・ダウンコンバータ、１７１１  第２のデジタル・アップコンバータ、１７１２  第２のアナログ・アップコンバータ、１７１３  第１のＶＣＯ、１７１４  第２のＶＣＯ、１７１５  第３のＶＣＯ、１７１６  第１の周波数変換器、１７１７  第２の周波数変換器、１７１８  第３の周波数変換器、１７１９  第４の周波数変換器、１７５１  第１の無
線システムの受信ＲＦ信号、１７５２  第２の無線システムの受信ＲＦ信号、１７５４  第２の無線システムの送信ＲＦ信号、１７５５  第１の無線システムの受信ＢＢ信号、１７５６  第２の無線システムの受信ＢＢ信号、１７５８  第２の無線システムの送信ＢＢ信号、１７５９  第１のＶＣＯの出力信号、１７６０  第１のアナログ・アップ/ダウンコンバータ用ローカル信号、１７６１  第２のアナログ・アップ/ダウンコンバータ用ローカル信号、１７６２  第１のデジタル・アップ/ダウンコンバータ用ローカル信号、１７６３  第２のデジタル・アップ/ダウンコンバータ用ローカル信号、１７６４  第２のＶＣＯの出力信号、１７６５  第３のＶＣＯの出力信号、１９０１  第１の無線システムに対応する受信回路、１９０４  第２の無線システムに対応する送信回路、１９０５  第１のアナログ・ダウンコンバータ、１９０６  第１のデジタル・ダウンコンバータ、１９１１  第２のデジタル・アップコンバータ、１９１２  第２のアナログ・アップコンバータ、１９１３  第１のＶＣＯ、１９１４  第２のＶＣＯ、１９１５  第３のＶＣＯ、１９１６  第１の周波数変換器、１９１７  第２の周波数変換器、１９１８  第３の周波数変換器、１９１９  第４の周波数変換器、１９５１  第１の無線システムの受信ＲＦ信号、１９５４  第２の無線システムの送信ＲＦ信号、１９５５  第１の無線システムの受信ＢＢ信号、１９５８  第２の無線システムの送信ＢＢ信号、１９５９  第１のＶＣＯの出力信号、１９６０  第１のアナログ・アップ/ダウンコンバータ用ローカル信号、１９６１  第２のアナログ・アップ/ダウンコンバータ用ローカル信号、１９６２  第１のデジタル・アップ/ダウンコンバータ用ローカル信号、１９６３  第２のデジタル・アップ/ダウンコンバータ用ローカル信号、１９６４  第２のＶＣＯの出力信号、１９６５  第３のＶＣＯの出力信号、３１０１  受信アンプ、３１０２  送信アンプ、３１０３  第１のアナログ・ダウンコンバータ、３１０４  第２のアナログ・ダウンコンバータ、３１０５  第１のアナログ・アップコンバータ、３１０６  第２のアナログ・アップコンバータ、３１０７  第１のアナログＢＢ回路、３１０８  第２のアナログＢＢ回路、３１０９  第３のアナログＢＢ回路、３１１０  第４のアナログＢＢ回路、３１１１  第１のデジタルＢＢ回路、３１１２  第２のデジタルＢＢ回路、３１１３  第３のデジタルＢＢ回路、３１１４  第４のデジタルＢＢ回路、３１１５  マルチプレクサ、３１１６  デマルチプレクサ、３１１７  第１のＶＣＯ、３１１８  第１の分周器、３１１９  第２の分周器、３１２０  加算回路、３１２１  第２のＶＣＯ、３１２２  第３の分周器、３１５１  受信ＲＦ信号、３１５２  送信ＲＦ信号、３１５３  受信アンプの出力信号、３１５５  第１のアナログ・ダウンコンバータの出力信号、３１５６  第２のアナログ・ダウンコンバータの出力信号、３１５７  第３のアナログＢＢ回路の出力信号、３１５８  第４のアナログＢＢ回路の出力信号、３１５９  第１のアナログＢＢ回路の出力信号、３１６０  第２のアナログＢＢ回路の出力信号、３１６１  第３のデジタルＢＢ回路の出力信号、３１６２  第４のデジタルＢＢ回路の出力信号、３１６３  第１のデジタルＢＢ回��の出力信号、３１６４  第２のデジタルＢＢ回路の出力信号、３１６５  第３のデジタルＢＢ回路の入力信号、３１６６  第４のデジタルＢＢ回路の入力信号、３１６７  マルチプレクサの出力信号、３１６８  デマルチプレクサの入力信号、３１６９  第１のＶＣＯの出力信号、３１７０  第１のアナログ・アップ/ダウンコンバータ用ローカル信号、３１７１  第２のアナログ・アップ/ダウンコンバータ用ローカル信号、３１７２  第１のデジタル・アップ/ダウンコンバータ用ローカル信号、３２０１  受信アンプ、３２０２  送信アンプ、３２０３  第１のアナログ・ダウンコンバータ、３２０４  第２のアナログ・ダウンコンバータ、３２０５  第１のアナログ・アップコンバータ、３２０６  第２のアナログ・アップコンバータ、３２０７  第１のアナログＢＢ回路、３２０８  第２のアナログＢＢ回路、３２０９  第３のアナログＢＢ回路、３２１０  第４のアナログＢＢ回路、３２１１  第１のデジタルＢＢ回路、３２１２  第２のデジタルＢＢ回路、３２１３  第３のデジタルＢＢ回路、３２１４  第４のデジタルＢＢ回路、３２１５  マルチプレクサ、３２１６  デマルチプレクサ、３２１７  第１のＶＣＯ、３２１８  第１の分周器、３２１９  第２の分周器、３２２０  加算回路、３２５１  受信ＲＦ信号、３２５２  送信ＲＦ信号、３２５３  受信アンプの出力信号、３２５５  第１のアナログ・ダウンコンバータの出力信号、３２５６  第２のアナログ・ダウンコンバータの出力信号、３２５７  第３のアナログＢＢ回路の出力信号、３２５８  第４のアナログＢＢ回路の出力信号、３２５９  第１のアナログＢＢ回路の出力信号、３２６０  第２のアナログＢＢ回路の出力信号、３２６１  第３のデジタルＢＢ回路の出力信号、３２６２  第４のデジタルＢＢ回路の出力信号、３２６３  第１のデジタルＢＢ回路の出力信号、３２６４  第２のデジタルＢＢ回路の出力信号、３２６５  第３のデジタルＢＢ回路の入力信号、３２６６  第４のデジタルＢＢ回路の入力信号、３２６７  マルチプレクサの出力信号、３２６８  デマルチプレクサの入力信号、３２６９  第１のＶＣＯの出力信号、３２７０  第１のアナログ・アップ/ダウンコンバータ用ローカル信号、３２７１  第２のアナログ・アップ/ダウンコンバータ用ローカル信号、３３０１  受信アンプ、３３０２  送信アンプ、３３０３  第１のアナログ・ダウンコンバータ、３３０４  第２のアナログ・ダウンコンバータ、３３０５  第１のアナログ・アップコンバータ、３３０６  第２のアナログ・アップコンバータ、３３０７  第１のアナログＢＢ回路、３３０８  第２のアナログＢＢ回路、３３０９  第３のアナログＢＢ回路、３３１０  第４のアナログＢＢ回路、３３１１  第１のデジタルＢＢ回路、３３１２  第２のデジタルＢＢ回路、３３１３  第３のデジタルＢＢ回路、３３１４  第４のデジタルＢＢ回路、３３１５  マルチプレクサ、３３１６  デマルチプレクサ、３３１７  第１のＶＣＯ、３３１８  第１の分周器、３３２０  加算回路、３３５１  受信ＲＦ信号、３３５２  送信ＲＦ信号、３３５３  受信アンプの出力信号、３３５５  第１のアナログ・ダウンコンバータの出力信号、３３５６  第２のアナログ・ダウンコンバータの出力信号、３３５７  第３のアナログＢ��回路の出力信号、３３５８  第４のアナログＢＢ回路の出力信号、３３５９  第１のアナログＢＢ回路の出力信号、３３６０  第２のアナログＢＢ回路の出力信号、３３６１  第３のデジタルＢＢ回路の出力信号、３３６２  第４のデジタルＢＢ回路の出力信号、３３６３  第１のデジタルＢＢ回路の出力信号、３３６４  第２のデジタルＢＢ回路の出力信号、３３６５  第３のデジタルＢＢ回路の入力信号、３３６６  第４のデジタルＢＢ回路の入力信号、３３６７  マルチプレクサの出力信号、３３６８  デマルチプレクサの入力信号、３３６９  第１のＶＣＯの出力信号、３３７０  第１のアナログ・アップ/ダウンコンバータ用ローカル信号、３３７１  第２のアナログ・アップ/ダウンコンバータ用ローカル信号、５１０１  第１の無線システムに対応する受信回路、５１０２  第２の無線システムに対応する受信回路、５１０３  第１の無線システムに対応する送信回路、５１０４  第２の無線システムに対応する送信回路、５１０５  第１のアナログ・ダウンコンバータ、５１０６  第１のデジタル・ダウンコンバータ、５１０７  第２のデジタル・ダウンコンバータ、５１０８  第２のアナログ・ダウンコンバータ、５１０９  第１のアナログ・アップコンバータ、５１１０  第１のデジタル・アップコンバータ、５１１１  第２のデジタル・アップコンバータ、５１１２  第２のアナログ・アップコンバータ、５１１３  ＶＣＯ、５１１６  周波数変換回路、５１５１  第１の無線システムの受信ＲＦ信号、５１５２  第２の無線システムの受信ＲＦ信号、５１５３  第１の無線システムの送信ＲＦ信号、５１５４  第２の無線システムの送信ＲＦ信号、５１５５  第１の無線システムの受信ＢＢ信号、５１５６  第２の無線システムの受信ＢＢ信号、５１５７  第１の無線システムの送信ＢＢ信号、５１５８  第２の無線システムの送信ＢＢ信号、５１５９  ＶＣＯの出力信号、５１６０  周波数変換回路の出力信号
【図１】
0005445459.tif 000035
【図２】
0005445459.tif 000036
【図３】
0005445459.tif 000037
【図４】
0005445459.tif 000038
【図５】
0005445459.tif 000039
【図６】
0005445459.tif 000040
【図７】
0005445459.tif 000041
【図８】
0005445459.tif 000042
【図９】
0005445459.tif 000043
【図１０】
0005445459.tif 000044
【図１１】
0005445459.tif 000045
【図１２】
0005445459.tif 000046
【図１３】
0005445459.tif 000047
【図１４】
0005445459.tif 000048
【図１５】
0005445459.tif 000049
【図１６】
0005445459.tif 000050
【図１７】
0005445459.tif 000051
【図１８】
0005445459.tif 000052
【図１９】
0005445459.tif 000053
【図２０】
0005445459.tif 000054
【図２１】
0005445459.tif 000055
【図２２】
0005445459.tif 000056
【図２３】
0005445459.tif 000057
【図２４】
0005445459.tif 000058
【図２５】
0005445459.tif 000059
【図２６】
0005445459.tif 000060